(57)【特許請求の範囲】
【請求項１】
ＩＭＳ（IP Multimedia subsystem）網を構成する通信システムであって、
フェムトセル用基地局と、サービス制御装置と、呼制御を行うコア装置と、データベース装置と、を備え、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
前記代表サービス制御装置からP-TMSIを受信した場合に、当該受信したP-TMSIに関連付けられて前記格納手段に格納されたアドレス情報を検索する検索手段と、
前記検索手段により検索されたアドレス情報を前記代表サービス制御装置に送信するアドレス送信手段と、を備え、
前記サービス制御装置は、
前記代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIを前記データベース装置にアドレス要求として送信する要求送信手段と、
前記代表サービス制御装置として用いられ、前記データベース装置からサービス制御装置のアドレス情報を受信した場合、当該受信したアドレス宛てに、前記要求送信手段により受信されたＰＤＰコンテキストの引き継ぎ要求信号を転送する転送制御手段と、を備えたことを特徴とする通信システム。
【請求項２】
前記格納手段は、P-TMSIとサービス制御装置のアドレス情報とを登録要求として受信した場合に、当該受信されたP-TMSIとサービス制御装置のアドレス情報とを関連付けて格納することを特徴とする請求項１記載の通信システム。
【請求項３】
前記サービス制御装置は、自装置の管理下にあるフェムトセル用基地局からP-TMSIを受信した場合に、当該受信されたP-TMSIと、自装置のアドレス情報とを登録要求として前記データベース装置に送信する第１の登録要求手段を備えたことを特徴とする請求項１または２記載の通信システム。
【請求項４】
前記第１の登録要求手段は、自装置の管理下にあるフェムトセル用基地局からP-TMSIを受信した後、ＰＤＰが確立されるまでの間に、前記データベース装置へと登録要求を送信することを特徴とする請求項３記載の通信システム。
【請求項５】
前記フェムトセル用基地局は、
前記ＵＥに対してP-TMSIを発行する発行手段と、
自装置を管理するサービス制御装置のアドレス情報を受信した場合、前記発行手段により発行されたP-TMSIおよび該受信されたアドレス情報を登録要求として前記データベース装置に送信する第２の登録要求手段と、を備えたことを特徴とする請求項１または２記載の通信システム。
【請求項６】
前記第２の登録要求手段は、自装置を管理するサービス制御装置のアドレス情報を受信した後、ＰＤＰが確立されるまでの間に、前記データベース装置へと登録要求を送信することを特徴とする請求項５記載の通信システム。
【請求項７】
フェムトセル用基地局と、サービス制御装置と、呼制御を行うコア装置と、データベース装置と、を備えたＩＭＳ（IP Multimedia subsystem）網に用いられるデータベース装置であって、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
前記代表サービス制御装置からP-TMSIを受信した場合に、当該受信したP-TMSIに関連付けられて前記格納手段に格納されたアドレス情報を検索する検索手段と、
前記検索手段により検索されたアドレス情報を前記代表サービス制御装置に送信するアドレス送信手段と、を備えたことを特徴とするデータベース装置。
【請求項８】
前記格納手段は、P-TMSIとサービス制御装置のアドレス情報とを登録要求として受信した場合に、当該受信されたP-TMSIとサービス制御装置のアドレス情報とを関連付けて格納することを特徴とする請求項７記載のデータベース装置。
【請求項９】
フェムトセル用基地局と、サービス制御装置と、呼制御を行うコア装置と、データベース装置と、を備えたＩＭＳ（IP Multimedia subsystem）網に用いられるサービス制御装置であって、
通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
前記代表サービス制御装置からP-TMSIを受信した場合に、当該受信したP-TMSIに関連付けられて前記格納手段に格納されたアドレス情報を検索する検索手段と、
前記検索手段により検索されたアドレス情報を前記代表サービス制御装置に送信するアドレス送信手段と、を備え、
前記サービス制御装置は、
前記代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIを前記データベース装置にアドレス要求として送信する要求送信手段と、
前記代表サービス制御装置として用いられ、前記データベース装置からサービス制御装置のアドレス情報を受信した場合、当該受信したアドレス宛てに、前記要求送信手段により受信されたＰＤＰコンテキストの引き継ぎ要求信号を転送する転送制御手段と、を備えたことを特徴とするサービス制御装置。
【請求項１０】
自装置の管理下にあるフェムトセル用基地局からP-TMSIを受信した場合に、当該受信されたP-TMSIと、自装置のアドレス情報とを登録要求として前記データベース装置に送信する第１の登録要求手段を備え、
前記格納手段は、P-TMSIとサービス制御装置のアドレス情報とを登録要求として受信した場合に、当該受信されたP-TMSIとサービス制御装置のアドレス情報とを関連付けて格納することを特徴とする請求項９記載のサービス制御装置。
【請求項１１】
前記第１の登録要求手段は、自装置の管理下にあるフェムトセル用基地局からP-TMSIを受信した後、ＰＤＰが確立されるまでの間に、前記データベース装置へと登録要求を送信することを特徴とする請求項１０記載のサービス制御装置。
【請求項１２】
フェムトセル用基地局と、サービス制御装置と、呼制御を行うコア装置と、データベース装置と、を備えたＩＭＳ（IP Multimedia subsystem）網に用いられるフェムトセル用基地局であって、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
前記代表サービス制御装置からP-TMSIを受信した場合に、当該受信したP-TMSIに関連付けられて前記格納手段に格納されたアドレス情報を検索する検索手段と、
前記検索手段により検索されたアドレス情報を前記代表サービス制御装置に送信するアドレス送信手段と、を備え、
前記フェムトセル用基地局は、
前記ＵＥに対してP-TMSIを発行する発行手段と、
自装置を管理するサービス制御装置のアドレス情報を受信した場合、前記発行手段により発行されたP-TMSIおよび該受信されたアドレス情報を登録要求として前記データベース装置に送信する第２の登録要求手段と、を備えたことを特徴とするフェムトセル用基地局。
【請求項１３】
前記第２の登録要求手段は、自装置を管理するサービス制御装置のアドレス情報を受信した後、ＰＤＰが確立されるまでの間に、前記データベース装置へと登録要求を送信することを特徴とする請求項１２記載のフェムトセル用基地局。
【請求項１４】
ＩＭＳ（IP Multimedia subsystem）網を構成する通信システムにおける通信方法であって、
前記ＩＭＳ網は、フェムトセル用基地局と、サービス制御装置と、呼制御を行うコア装置と、データベース装置と、を備え、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置が、ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納工程と、
前記代表サービス制御装置が、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIを前記データベース装置にアドレス要求として送信する要求送信工程と、
前記代表サービス制御装置から前記データベース装置がP-TMSIを受信した場合に、当該受信したP-TMSIに関連付けられて前記格納工程で格納されたアドレス情報を検索する検索工程と、
前記検索工程で検索されたアドレス情報を前記データベース装置が前記代表サービス制御装置に送信するアドレス送信工程と、を備え、
前記代表サービス制御装置が、前記データベース装置からサービス制御装置のアドレス情報を受信した場合、当該受信したアドレス宛てに、前記要求送信工程で受信されたＰＤＰコンテキストの引き継ぎ要求信号を転送する転送制御工程と、を備えたことを特徴とする通信方法。
【請求項１５】
前記格納工程では、P-TMSIとサービス制御装置のアドレス情報とを前記データベース装置が登録要求として受信した場合に、当該受信されたP-TMSIとサービス制御装置のアドレス情報とを関連付けて格納することを特徴とする請求項１４記載の通信方法。
【請求項１６】
前記サービス制御装置が、自装置の管理下にあるフェムトセル用基地局からP-TMSIを受信した場合に、当該受信されたP-TMSIと、自装置のアドレス情報とを登録要求として前記データベース装置に送信する第１の登録要求工程を、前記格納工程の前に備えたことを特徴とする請求項１４または１５記載の通信方法。
【請求項１７】
前記第１の登録要求工程では、前記サービス制御装置が、自装置の管理下にあるフェムトセル用基地局からP-TMSIを受信した後、ＰＤＰが確立されるまでの間に、前記データベース装置へと登録要求を送信することを特徴とする請求項１６記載の通信方法。
【請求項１８】
前記フェムトセル用基地局が、前記ＵＥに対してP-TMSIを発行する発行工程と、
前記フェムトセル用基地局が、自装置を管理するサービス制御装置のアドレス情報を受信した場合、前記発行工程により発行されたP-TMSIおよび該受信されたアドレス情報を登録要求として前記データベース装置に送信する第２の登録要求工程と、を前記格納工程の前に備えたことを特徴とする請求項１４または１５記載の通信方法。
【請求項１９】
前記第２の登録要求工程では、前記フェムトセル用基地局が、自装置を管理するサービス制御装置のアドレス情報を受信した後、ＰＤＰが確立されるまでの間に、前記データベース装置へと登録要求を送信することを特徴とする請求項１８記載の通信方法。
【請求項２０】
フェムトセル用基地局と、サービス制御装置と、呼制御を行うコア装置と、データベース装置と、を備えたＩＭＳ（IP Multimedia subsystem）網に用いられるデータベース装置のプログラムであって、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置のコンピュータに、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納処理と、
前記代表サービス制御装置からP-TMSIを受信した場合に、当該受信したP-TMSIに関連付けられて前記格納処理で格納されたアドレス情報を検索する検索処理と、
前記検索処理により検索されたアドレス情報を前記代表サービス制御装置に送信するアドレス送信処理と、を実行させることを特徴とするデータベース装置のプログラム。
【請求項２１】
前記格納処理では、P-TMSIとサービス制御装置のアドレス情報とを登録要求として受信した場合に、当該受信されたP-TMSIとサービス制御装置のアドレス情報とを関連付けて格納することを特徴とする請求項２０記載のデータベース装置のプログラム。
【請求項２２】
フェムトセル用基地局と、サービス制御装置と、呼制御を行うコア装置と、データベース装置と、を備えたＩＭＳ（IP Multimedia subsystem）網に用いられるサービス制御装置のプログラムであって、
前記サービス制御装置は、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納し、
前記代表サービス制御装置からP-TMSIを受信した場合に、当該受信したP-TMSIに関連付けられて前記格納処理で格納されたアドレス情報を検索して前記代表サービス制御装置に送信し、
前記サービス制御装置のコンピュータを、
通信手順の異なる他のネットワークからの送信信号に対して、ＳＧＳＮ（Serving GPRS Support Node）と同様の信号返信を行うＳＧＳＮ機能部として機能させると共に、
前記サービス制御装置のコンピュータに、
前記代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIを前記データベース装置にアドレス要求として送信する要求送信処理と、
前記代表サービス制御装置として用いられ、前記データベース装置からサービス制御装置のアドレス情報を受信した場合、当該受信したアドレス宛てに、前記要求送信処理で受信されたＰＤＰコンテキストの引き継ぎ要求信号を転送する転送制御処理と、を実行させることを特徴とするサービス制御装置のプログラム。
【請求項２３】
前記サービス制御装置のコンピュータに、自装置の管理下にあるフェムトセル用基地局からP-TMSIを受信した場合に、当該受信されたP-TMSIと、自装置のアドレス情報とを登録要求として前記データベース装置に送信する第１の登録要求処理を実行させ、
前記格納処理では、P-TMSIとサービス制御装置のアドレス情報とを登録要求として受信した場合に、当該受信されたP-TMSIとサービス制御装置のアドレス情報とを関連付けて格納することを特徴とする請求項２２記載のサービス制御装置のプログラム。
【請求項２４】
前記第１の登録要求処理では、自装置の管理下にあるフェムトセル用基地局からP-TMSIを受信した後、ＰＤＰが確立されるまでの間に、前記データベース装置へと登録要求を送信することを特徴とする請求項２３記載のサービス制御装置のプログラム。
【請求項２５】
フェムトセル用基地局と、サービス制御装置と、呼制御を行うコア装置と、データベース装置と、を備えたＩＭＳ（IP Multimedia subsystem）網に用いられるフェムトセル用基地局のプログラムであって、
前記サービス制御装置は、通信手順の異なる他のネットワークからの送信信号に対して、ＳＧＳＮ（Serving GPRS Support Node）と同様の信号返信を行うＳＧＳＮ機能部を備え、前記ＩＭＳ網に複数設けられ、
該複数のサービス制御装置の内の１台は、代表サービス制御装置として予め設定され、
前記データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納し、
前記代表サービス制御装置からP-TMSIを受信した場合に、当該受信したP-TMSIに関連付けられて前記格納処理で格納されたアドレス情報を検索して前記代表サービス制御装置に送信し、
前記フェムトセル用基地局のコンピュータに、
前記ＵＥに対してP-TMSIを発行する発行処理と、
自装置を管理するサービス制御装置のアドレス情報を受信した場合、前記発行処理により発行されたP-TMSIおよび該受信されたアドレス情報を登録要求として前記データベース装置に送信する第２の登録要求処理と、を実行させることを特徴とするフェムトセル用基地局のプログラム。
【請求項２６】
前記第２の登録要求処理では、自装置を管理するサービス制御装置のアドレス情報を受信した後、ＰＤＰが確立されるまでの間に、前記データベース装置へと登録要求を送信することを特徴とする請求項２５記載のフェムトセル用基地局のプログラム。
【発明の詳細な説明】
【技術分野】
【０００１】
本発明は、フェムトセル用基地局を用いたシステムでハンドオーバを実現する通信システム、およびその通信システムに用いられるデータベース装置、サービス制御装置、フェムトセル用基地局、通信方法及び装置のプログラムに関する。
【背景技術】
【０００２】
携帯電話機などの無線端末（ＵＥ；user equipment）を呼接続させる既存の公衆移動通信網としての３Ｇ（third generation：第三世代移動体通信）網では、一般に、ＵＥが移動することで帰属先の基地局（無線リンク用論理ノード；Node B）が変わっても、ハンドオーバ（hand over）により通話が継続できるようになっている。
こうした既存３Ｇ網におけるハンドオーバについては、３ＧＰＰ（3rd Generation Partnership Project）が各種の規格を制定している（例えば、非特許文献１参照）。
【０００３】
また、こうした既存３Ｇ網と無線ＬＡＮとの間のハンドオーバの際に、移動先でＧＧＳＮ情報を参照できるようにすることで、移動元と同一のＧＧＳＮを選択可能とするものがある（例えば、特許文献１参照）。
【０００４】
また、本出願人による通信システムとして、家庭やオフィスなどに設置されたＩＭＳ（IP Multimedia Subsystem）網による有線回線を経由して移動通信コアネットワークに接続させるフェムトセル用基地局（Femto Access Point；ＦＡＰ）を用いるものがある（例えば、特許文献２参照）。
【０００５】
この特許文献２の通信システムでは、ＩＭＳ網のコアネットワークで呼制御を行い、ＦＡＰを導入した通信システム（IMS-Femto網）について、ＦＡＰ間だけでなく、ＭＳＣで呼制御を行う既存３Ｇ網との間でも、ハンドオーバにより通話を継続できるようにしている。
【先行技術文献】
【特許文献】
【０００６】
【特許文献１】特開２００８−２７１１４０号公報
【特許文献２】特開２０１０−２５２１３９号公報
【非特許文献】
【０００７】
【非特許文献１】３ＧＰＰ技術仕様  ＴＳ２３．２３６  Ｖ５．４．０（２００５−０９）
【発明の概要】
【発明が解決しようとする課題】
【０００８】
しかしながら、ＩＭＳ網は、主として通話等を実現するＣＳ（Circuit Switching）サービス用のアーキテクチャである。そして、上述した非特許文献１や特許文献１といった既存３Ｇ網についての技術は、ＩＭＳ網を用いてフェムトセル用基地局を導入した通信システム（IMS-Femto網）でのハンドオーバについてまで考慮されたものではなかった。
【０００９】
このため、IMS-Femto網でのパケット通信におけるＰＳ（Packet Switching）ハンドオーバにおいては、既存３Ｇ網でのハンドオーバのように、ＰＳサービスによりユーザパケットを転送する際の接続の論理関係としてのＰＤＰ（Packet Data Protocol）コンテキストを引き継ぐことができないのが現状であった。このため、IMS-Femto網では、ＰＳハンドオーバの際に、移動先でＰＤＰコンテキストの確立を再度やり直す必要があった。
【００１０】
また、上述した特許文献２のものは、IMS-Femto網でのＣＳハンドオーバについて、ＣＳサービスによる通話を継続できるようにするものであり、ＰＳハンドオーバにおける移動先にＰＤＰコンテキストを引き継ぐことについてまで考慮されたものではなかった。このため、ＰＳサービスについて、既存３Ｇ網におけるＰＳハンドオーバと同様のＰＳハンドオーバまでは実現できていなかった。
【００１１】
本発明はこのような状況に鑑みてなされたものであり、既存３Ｇ網などの既存の移動通信網における各装置を改良する必要なく、既存３Ｇ網におけるＰＳハンドオーバと同様のＰＳハンドオーバを実現することができる通信システム、およびその通信システムに用いられるデータベース装置、サービス制御装置、フェムトセル用基地局、通信方法及び装置のプログラムを提供することを目的とする。
【課題を解決するための手段】
【００１２】
かかる目的を達成するために、本発明に係る通信システムは、
ＩＭＳ（IP Multimedia subsystem）網を構成する通信システムであって、
フェムトセル用基地局と、サービス制御装置と、呼制御を行うコア装置と、データベース装置と、を備え、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
代表サービス制御装置からP-TMSIを受信した場合に、当該受信したP-TMSIに関連付けられて格納手段に格納されたアドレス情報を検索する検索手段と、
検索手段により検索されたアドレス情報を代表サービス制御装置に送信するアドレス送信手段と、を備え、
サービス制御装置は、
代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIをデータベース装置にアドレス要求として送信する要求送信手段と、
代表サービス制御装置として用いられ、データベース装置からサービス制御装置のアドレス情報を受信した場合、当該受信したアドレス宛てに、要求送信手段により受信されたＰＤＰコンテキストの引き継ぎ要求信号を転送する転送制御手段と、を備えたことを特徴とする。
【００１３】
また、本発明に係るデータベース装置は、
フェムトセル用基地局と、サービス制御装置と、呼制御を行うコア装置と、データベース装置と、を備えたＩＭＳ（IP Multimedia subsystem）網に用いられるデータベース装置であって、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
代表サービス制御装置からP-TMSIを受信した場合に、当該受信したP-TMSIに関連付けられて格納手段に格納されたアドレス情報を検索する検索手段と、
検索手段により検索されたアドレス情報を代表サービス制御装置に送信するアドレス送信手段と、を備えたことを特徴とする。
【００１４】
また、本発明に係るサービス制御装置は、
フェムトセル用基地局と、サービス制御装置と、呼制御を行うコア装置と、データベース装置と、を備えたＩＭＳ（IP Multimedia subsystem）網に用いられるサービス制御装置であって、
通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
代表サービス制御装置からP-TMSIを受信した場合に、当該受信したP-TMSIに関連付けられて格納手段に格納されたアドレス情報を検索する検索手段と、
検索手段により検索されたアドレス情報を代表サービス制御装置に送信するアドレス送信手段と、を備え、
サービス制御装置は、
代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIをデータベース装置にアドレス要求として送信する要求送信手段と、
代表サービス制御装置として用いられ、データベース装置からサービス制御装置のアドレス情報を受信した場合、当該受信したアドレス宛てに、要求送信手段により受信されたＰＤＰコンテキストの引き継ぎ要求信号を転送する転送制御手段と、を備えたことを特徴とする。
【００１５】
また、本発明に係るフェムトセル用基地局は、
フェムトセル用基地局と、サービス制御装置と、呼制御を行うコア装置と、データベース装置と、を備えたＩＭＳ（IP Multimedia subsystem）網に用いられるフェムトセル用基地局であって、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納手段と、
代表サービス制御装置からP-TMSIを受信した場合に、当該受信したP-TMSIに関連付けられて格納手段に格納されたアドレス情報を検索する検索手段と、
検索手段により検索されたアドレス情報を代表サービス制御装置に送信するアドレス送信手段と、を備え、
フェムトセル用基地局は、
ＵＥに対してP-TMSIを発行する発行手段と、
自装置を管理するサービス制御装置のアドレス情報を受信した場合、発行手段により発行されたP-TMSIおよび該受信されたアドレス情報を登録要求としてデータベース装置に送信する第２の登録要求手段と、を備えたことを特徴とする。
【００１６】
また、本発明に係る通信方法は、
ＩＭＳ（IP Multimedia subsystem）網を構成する通信システムにおける通信方法であって、
ＩＭＳ網は、フェムトセル用基地局と、サービス制御装置と、呼制御を行うコア装置と、データベース装置と、を備え、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置が、ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納工程と、
代表サービス制御装置が、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIをデータベース装置にアドレス要求として送信する要求送信工程と、
代表サービス制御装置からデータベース装置がP-TMSIを受信した場合に、当該受信したP-TMSIに関連付けられて格納工程で格納されたアドレス情報を検索する検索工程と、
検索工程で検索されたアドレス情報をデータベース装置が代表サービス制御装置に送信するアドレス送信工程と、を備え、
代表サービス制御装置が、データベース装置からサービス制御装置のアドレス情報を受信した場合、当該受信したアドレス宛てに、要求送信工程で受信されたＰＤＰコンテキストの引き継ぎ要求信号を転送する転送制御工程と、を備えたことを特徴とする。
【００１７】
また、本発明に係るデータベース装置のプログラムは、
フェムトセル用基地局と、サービス制御装置と、呼制御を行うコア装置と、データベース装置と、を備えたＩＭＳ（IP Multimedia subsystem）網に用いられるデータベース装置のプログラムであって、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置のコンピュータに、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納する格納処理と、
代表サービス制御装置からP-TMSIを受信した場合に、当該受信したP-TMSIに関連付けられて格納処理で格納されたアドレス情報を検索する検索処理と、
検索処理により検索されたアドレス情報を代表サービス制御装置に送信するアドレス送信処理と、を実行させることを特徴とする。
【００１８】
また、本発明に係るサービス制御装置のプログラムは、
フェムトセル用基地局と、サービス制御装置と、呼制御を行うコア装置と、データベース装置と、を備えたＩＭＳ（IP Multimedia subsystem）網に用いられるサービス制御装置のプログラムであって、
サービス制御装置は、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納し、
代表サービス制御装置からP-TMSIを受信した場合に、当該受信したP-TMSIに関連付けられて格納処理で格納されたアドレス情報を検索して代表サービス制御装置に送信し、
サービス制御装置のコンピュータを、
通信手順の異なる他のネットワークからの送信信号に対して、ＳＧＳＮ（Serving GPRS Support Node）と同様の信号返信を行うＳＧＳＮ機能部として機能させると共に、
サービス制御装置のコンピュータに、
代表サービス制御装置として用いられ、規格に定められたハンドオーバの通信手順でＰＤＰ（Packet Data Protocol）コンテキストの引き継ぎ要求信号を受信した場合、当該受信したＰＤＰコンテキストの引き継ぎ要求信号に含まれるP-TMSIをデータベース装置にアドレス要求として送信する要求送信処理と、
代表サービス制御装置として用いられ、データベース装置からサービス制御装置のアドレス情報を受信した場合、当該受信したアドレス宛てに、要求送信処理で受信されたＰＤＰコンテキストの引き継ぎ要求信号を転送する転送制御処理と、を実行させることを特徴とする。
【００１９】
また、本発明に係るフェムトセル用基地局のプログラムは、
フェムトセル用基地局と、サービス制御装置と、呼制御を行うコア装置と、データベース装置と、を備えたＩＭＳ（IP Multimedia subsystem）網に用いられるフェムトセル用基地局のプログラムであって、
サービス制御装置は、通信手順の異なる他のネットワークからの送信信号に対して、ＳＧＳＮ（Serving GPRS Support Node）と同様の信号返信を行うＳＧＳＮ機能部を備え、ＩＭＳ網に複数設けられ、
該複数のサービス制御装置の内の１台は、代表サービス制御装置として予め設定され、
データベース装置は、
ＵＥ（user equipment）に発行されたP-TMSI（Packet - Temporary Mobile Subscriber Identity）に、該ＵＥの帰属先フェムトセル用基地局を管理するサービス制御装置のアドレス情報を関連付けて格納し、
代表サービス制御装置からP-TMSIを受信した場合に、当該受信したP-TMSIに関連付けられて格納処理で格納されたアドレス情報を検索して代表サービス制御装置に送信し、
フェムトセル用基地局のコンピュータに、
ＵＥに対してP-TMSIを発行する発行処理と、
自装置を管理するサービス制御装置のアドレス情報を受信した場合、発行処理により発行されたP-TMSIおよび該受信されたアドレス情報を登録要求としてデータベース装置に送信する第２の登録要求処理と、を実行させることを特徴とする。
【発明の効果】
【００２０】
以上のように、本発明によれば、既存３Ｇ網などの既存の移動通信網における各装置を改良する必要なく、既存３Ｇ網におけるＰＳハンドオーバと同様のＰＳハンドオーバを実現することができる。
【図面の簡単な説明】
【００２１】
【図１】本発明の実施形態としての通信システムの構成例を示すブロック図である。
【図２】既存３Ｇ網におけるＰＳハンドオーバの概略を説明する図である。
【図３】本実施形態のIMS-Femto網と既存３Ｇ網の間におけるＰＳハンドオーバの概略を説明する図である。
【図４】既存３Ｇ網のＳＧＳＮ間におけるＰＳハンドオーバ動作例を示すシーケンス図である。
【図５】IMS-Femto網から既存３Ｇ網へのＰＳハンドオーバ動作例を示すシーケンス図その１である。
【図６】IMS-Femto網から既存３Ｇ網へのＰＳハンドオーバ動作例を示すシーケンス図その２である。
【図７】IMS-Femto網から既存３Ｇ網へのＰＳハンドオーバ動作例を示すシーケンス図その３である。
【図８】IMS-Femto網から既存３Ｇ網へのＰＳハンドオーバ動作例を示すシーケンス図その４である。
【図９】IMS-Femto網から既存３Ｇ網へのＰＳハンドオーバ動作例を示すシーケンス図その５である。
【図１０】IMS-Femto網から既存３Ｇ網へのＰＳハンドオーバ動作例を示すシーケンス図その６である。
【図１１】既存３Ｇ網からIMS-Femto網へのＰＳハンドオーバ動作例を示すシーケンス図その１である。
【図１２】既存３Ｇ網からIMS-Femto網へのＰＳハンドオーバ動作例を示すシーケンス図その２である。
【図１３】既存３Ｇ網からIMS-Femto網へのＰＳハンドオーバ動作例を示すシーケンス図その３である。
【図１４】既存３Ｇ網からIMS-Femto網へのＰＳハンドオーバ動作例を示すシーケンス図その４である。
【図１５】既存３Ｇ網からIMS-Femto網へのＰＳハンドオーバ動作例を示すシーケンス図その５である。
【発明を実施するための形態】
【００２２】
次に、本発明に係る通信システム、データベース装置、サービス制御装置、フェムトセル用基地局、通信方法及び装置のプログラムを適用した一実施形態について、図面を用いて詳細に説明する。
【００２３】
まず、本実施形態の概略について、図１を参照して説明する。
本実施形態によるIMS-Femto網では、フェムトセル用基地局（ＦＡＰ；Femto Access Point）を用いて無線端末であるＵＥの呼接続を行い、３ＧＰＰなどの規格に定められた範囲内で、既存の公衆移動通信網に変更を加える必要なく、既存網との間でのハンドオーバができるようになっている。
【００２４】
また、本実施形態によるIMS-Femto網では、ＰＳハンドオーバの際にも、ＰＤＰコンテキストの引き継ぎを実現する。このため、本実施形態によるIMS-Femto網では、既存３Ｇ網など既存の移動通信網との間でＰＳハンドオーバが行われる場合であっても、既存３Ｇ網内でのＰＳハンドオーバと同様のＰＳハンドオーバを行うことができる。このため、パケット通信の途中や、パケット通信状態のまま所定時間無通信が続いたことによるPreservation状態でハンドオーバが行われた場合であっても、既存３Ｇ網内でのＰＳハンドオーバの場合と同様に、パケット通信を継続させることができる。
【００２５】
＜通信システムのシステム構成例＞
次に、本実施形態としての通信システムの構成について詳細に説明する。
本実施形態としての通信システムは、図１に示すように、既存３Ｇ網（Macro網）と、IMS-Femto網と、ＬＴＥ（Long Term Evolution）網とを備え、それぞれがＰ−ＧＷ（PDN Gateway）を介するなどにより各種の公衆データ網（ＰＤＮ；Public Data Network）に接続されて構成される。
【００２６】
既存３Ｇ網は、３Ｇサービスを提供する既存の移動通信網であり、ＳＧＳＮ（Serving GPRS Support Node）９３と、ＧＧＳＮ（Gateway GPRS Support Node）９４と、ＨＬＲ（Home Location Register）９５と、ＤＮＳ（Domain Name Server）９６と、ＭＳＣ（Mobile Services Switching Center）９７と、ＲＡＮ（Radio Area Network）と、を備えて構成される。ＲＡＮは、ＲＮＣ（Radio Network Controller）９２と、NB（Node B）９１とを備えて構成され、Node B９１配下にＵＥ１を収容する。
【００２７】
既存３Ｇ網を構成するＵＥ１、Node B９１、ＲＮＣ９２、ＳＧＳＮ９３、ＧＧＳＮ９４、ＨＬＲ９５、ＤＮＳ９６、ＭＳＣ９７は、３ＧＰＰに準拠した処理を行う装置であるため、具体的な処理動作については省略する。既存３Ｇ網に利用されている技術については、例えば上述した非特許文献１や、3GPP TS 33.234 V8.0.0（2007-12）等に開示されている。
【００２８】
ＬＴＥ網は、eNB（eNode B）８１と、ＭＭＥ（Mobility Management Entity）、Ｓ−ＧＷ（Serving Gateway）８２などを備えて構成され、eNB８１配下にＵＥ１を収容する。ＬＴＥ網を構成する各装置については、3GPP TS23.401 V9.0.0（2009.3）等、３ＧＰＰに準拠した処理を行う装置であるため、具体的な処理動作については省略する。
【００２９】
IMS-Femto網は、所定の通信エリアを構築するＦＡＰ２と、ＰＤＧ３と、ＰＳサーバ４と、ＡＡＡ（Authentication Authorization Accounting）５と、ＨＳＳ（Home Subscriber Server）６と、ＤＮＳ７と、ＩＭＳコア８と、ＤＢ（Database）装置９と、を備えて構成され、ＦＡＰ２配下にＵＥ１を収容する。
【００３０】
ＦＡＰ２は、半径数十メートル程度の狭い通信エリアをカバーする小型無線基地局である。
【００３１】
ＰＤＧ３は、メッセージを中継する装置である。
【００３２】
ＰＳサーバ（サービス制御装置）４は、既存３Ｇ網など他のネットワークの各装置に対して、既存３Ｇ網のＳＧＳＮ９３と同様の信号送受信を行い、そうした他のネットワークの各装置に対して仮想的にＳＧＳＮとして認識させるＳＧＳＮ機能部を実現する。また、ＨＬＲ９５からＰＳ加入者プロファイルを取得し、IMSI＿UEに関連付けてＰＳ−ＶＬＲ（Visitor Location Register）として格納することで、Femto IMS網に接続される各ＵＥ１のＰＳ加入者プロファイルを管理する。
【００３３】
また、図２に示すように、上述した既存３Ｇ網について同様の構成が複数設けられ、それら複数のＳＧＳＮの内、１つが代表ＳＧＳＮとして予め設定されていることとする。
また、図３に示すように、上述したIMS-Femto網について同様の構成が複数設けられ、それら複数のＰＳサーバの内、１つが代表ＰＳサーバとして予め設定されていることとする。
また、上述したＬＴＥ網についても、同様に複数のＬＴＥ網が設けられていることとする。
【００３４】
代表ＰＳサーバは、ＰＳハンドオーバにおける移動元のＰＳサーバへの転送が必要な信号を受信すると、移動元ＰＳサーバのアドレス情報を後述するＤＢ装置９に問い合わせ、そのＤＢ装置９から返信されたアドレス宛てに受信信号を転送する。
【００３５】
ＡＡＡ５は、ＵＥ１の認証処理などを行う装置である。
【００３６】
ＨＳＳ６は、ＨＬＲ９５からＣＳ加入者プロファイルを取得し、ＣＳ−ＶＬＲとして格納し、ＵＥ１のＣＳ加入者プロファイルの管理などを行う。
【００３７】
ＩＭＳ網のＤＮＳ７は、IMS-Femto網でのアドレス情報の問い合わせ用に設けられたＤＮＳである。このため、IMS-Femto網内の各ＰＳサーバ４のアドレス情報を格納し、ＦＡＰ２からＡＰＮと共にＰＳサーバのアドレス要求を受信した場合、ＰＳサーバのアドレス情報をラウンドロビンで順次返信する。このことにより、問い合わせ元のＦＡＰに割り当て可能なＰＳサーバのアドレス情報を割り当てることができるようになっている。
【００３８】
また、ＩＭＳ網のＤＮＳ７は、IMS-Femto網内の各ＰＤＧ３のアドレス情報を格納し、ＦＡＰ２からＡＰＮと共にＰＤＧのアドレス要求を受信した場合、ＰＤＧのアドレス情報をラウンドロビンで順次返信する。このことにより、問い合わせ元のＦＡＰに割り当て可能なＰＤＧのアドレス情報を割り当てることができるようになっている。
【００３９】
ＩＭＳコア８は、セッション制御などを行うコール状態制御サーバ（ＣＳＣＦ；Call Session Control Function）などのコア装置を含んで構成されるコアネットワークである。ＵＥ１はＦＡＰ２、ＰＤＧ３を介してＩＭＳコア８に位置登録処理を行い、ＩＭＳコア８は、ＦＡＰ２配下に在圏している各ＵＥに対する呼制御等の機能を実現する。
【００４０】
ＤＢ装置９は、UEに対して発行されたP-TMSI（Packet - Temporary Mobile Subscriber Identity）と、UE帰属先FAPのRAI（Routing Area Identity）と、UEのIMSIと、そのUE帰属先のFAPを管理するＰＳサーバのアドレス情報とのセットを登録情報として受信することで、このP-TMSIに、RAIと、IMSI＿UEと、ＰＳサーバのアドレス情報とを関連付けて、データベースとして格納する。
このことにより、ＰＳサーバのアドレス情報の問い合わせを受信すると、その問い合わせと共に受信したP-TMSIやRAIをキーとして自装置内のデータベースを検索し、そのP-TMSIやRAIに関連付けられているアドレス情報を問い合わせの送信元に返信する。
【００４１】
RAIは、3GPPに規定される情報であると共に、各ＦＡＰにもユニークに割り当てられる。このため、ＤＢ装置９に登録されるRAIは、UEの帰属先FAPを特定する特定情報として用いられる。
【００４２】
＜ＰＳハンドオーバ動作の概略（既存３Ｇ網内）＞
次に、本実施形態としての通信システムにおけるＰＳハンドオーバ動作の概略について説明する。
【００４３】
まず、本実施形態の特徴となる動作の参考とするため、既存３Ｇ網内でのＰＳハンドオーバの際に、移動元Node-Bを管理しているＳＧＳＮを特定するための動作の概略について、図２を参照して説明する。この既存３Ｇ網内でのＰＳハンドオーバ動作は、３ＧＰＰ  ＴＳ２３．２３６により標準化されている技術である。
【００４４】
ＵＥ１のＰＳ位置登録時に、ＳＧＳＮは、P-TMSIに自装置の特定情報（ＮＲＩ；Node Resouse Indicator）を埋め込んで送出する（ステップＳ９１）。
【００４５】
こうしてＰＳ発信が確立された後、ＵＥ１を持っているエンドユーザがエリア移動するなどの契機によりハンドオーバが開始されると（ステップＳ９２）、Inter-RAU（Routing Area Update）が起動される（ステップＳ９３）。
【００４６】
３ＧＰＰ技術仕様におけるＩｕ−Ｆｌｅｘ機能では、移動先のＳＧＳＮは、ＵＥ１から送信されたＲＡＩ（Routing Area Identity）からでは移動元のＳＧＳＮアドレスを見つけることができない。このため、まず代表ＳＧＳＮにＧＴＰ（GPRS Tunneling Protocol）信号が転送されることとなる（ステップＳ９４）。
【００４７】
代表ＳＧＳＮは、Ｐ−ＴＭＳＩに含まれるＮＲＩから、そのＮＲＩにより特定されるＳＧＳＮを移動元ＳＧＳＮとして判定し、こうして特定された移動元ＳＧＳＮに、受信したＧＴＰ信号を転送する（ステップＳ９５）。
【００４８】
＜ＰＳハンドオーバ動作の概略（IMS-Femto網から既存３Ｇ網）＞
次に、ＵＥ１が、本実施形態によるIMS-Femto網のＦＡＰ配下から既存３Ｇ網のNode B配下にハンドオーバする場合に、移動元ＦＡＰを管理しているＰＳサーバを特定するための動作の概略について、図３を参照して説明する。
【００４９】
ＵＥ１のＰＳ発信の際、ＦＡＰ２が自装置を管理するＰＳサーバとの間で通信を行った後で、ＦＡＰ２は、UEに対して発行されたP-TMSIと、自装置のRAIと、UEのIMSIと、自装置を管理するＰＳサーバのアドレス情報とのセットをＤＢ装置９に送信し、ＤＢ装置９のデータベースに登録する（ステップＳ１）。
【００５０】
こうしてＰＳ発信が確立された後、ＵＥ１を持っているエンドユーザがエリア移動するなどの契機によりハンドオーバが開始されると（ステップＳ２）、移動先の既存３Ｇ網でInter-RAU（Routing Area Update）が起動される（ステップＳ３）。
【００５１】
既存３Ｇ網のＳＧＳＮ９３では、図２により上述した既存３Ｇ網におけるステップＳ９４の動作と同様に、移動元のＳＧＳＮアドレスを見つけることができないため、代表ＰＳサーバにＧＴＰ信号を転送する（ステップＳ４）。
【００５２】
代表ＰＳサーバは、移動元ＰＳサーバのアドレス情報の問い合わせに、受信したＧＴＰ信号に含まれるP-TMSIやRAIを含め、ＤＢ装置９に送信する。ＤＢ装置９は、アドレス情報の問い合わせと共に受信したP-TMSIやRAIをキーとして自装置内のデータベースを検索し、そのP-TMSIやRAIに関連付けられているアドレス情報を代表ＰＳサーバに返信する（ステップＳ５）。
【００５３】
代表ＰＳサーバは、ＤＢ装置９から移動元ＰＳサーバのアドレス情報を受信すると、そのアドレス宛てに、受信したＧＴＰ信号を転送する（ステップＳ６）。
【００５４】
以上のように、本実施形態によるIMS-Femto網では、既存３Ｇ網など既存の移動通信網における各装置を改良する必要なく、移動元ＰＳサーバのアドレスを特定することができる。このため、既存３Ｇ網など既存の移動通信網との間であっても、既存３Ｇ網内におけるＰＳハンドオーバと同様のＰＳハンドオーバを実現することができる。
【００５５】
＜通信システムの動作例＞
次に、本実施形態としての通信システムにおけるＰＳサーバによるＳＧＳＮ機能部の動作と、ＰＳハンドオーバの動作について、３ＧＰＰなどにより標準化されている動作との比較を含めて説明する。
【００５６】
＜既存３Ｇ網のＳＧＳＮ間におけるＰＳハンドオーバ動作例＞
まず、本実施形態の特徴となる動作の参考とするため、UEが、既存３Ｇ網で１つのＳＧＳＮ管理下にあるNode B配下から、他のＳＧＳＮの管理下にあるNode B配下にハンドオーバした場合のＰＳ位置登録の動作例について、図４のシーケンス図を参照して説明する。
この動作は、３ＧＰＰにより標準化されている動作である。また、図４の動作例では、簡易認証なしの場合の例について示す。
【００５７】
以下の説明では、ハンドオーバにおける移動前にUEが帰属しているNode-Bを管理しているSGSNをSGSN（old）とし、移動後にUEが帰属しているNode-Bを管理するSGSNをSGSN（new）とする。
【００５８】
移動後のＰＳ位置登録の動作として、まず、UEはRouting Area Update RequestをSGSN（new）に送信する（ステップＡ１）。UEは、移動前の帰属先Node-Bを特定するold RAIと、移動前に受信したold P-TMSIと、PDP context StatusとをRouting Area Update Requestに含めて送信する。
【００５９】
SGSN（new）は、Routing Area Update Requestを受信した場合、PDP context Statusが含まれているため、引き継ぎ対象のPDPが存在すると判断し、DNSに移動前のSGSN（old）のアドレス要求を送信する（ステップＡ２）。SGSN（new）は、このアドレス要求に、UEから受信したold RAIを含めて送信する。
【００６０】
DNSは、SGSN（old）のアドレス要求を受信した場合、old RAIを参照し、そのold RAIのNode-Bを管理するSGSN（old）の情報を検索する。DNSは、こうしてold RAIに対応するSGSN（old）のアドレス情報をSGSN（new）に送信する（ステップＡ３）。
【００６１】
SGSN（new）は、SGSN（old）のアドレス情報を受信した場合、そのSGSN（old）のアドレス宛に、GTP:SGSN context Requestを送信し、ＰＤＰコンテキストの引き継ぎ要求を行う（ステップＡ４）。
【００６２】
SGSN（old）は、GTP:SGSN context Requestを受信した場合、GTP:SGSN context ResponseにＰＤＰコンテキストの構成情報を含めてSGSN（new）に送信し、ＰＤＰコンテキストの引き継ぎを行う（ステップＡ５）。ＰＤＰコンテキストの構成情報は、3GPPで規定されるMM context、PDP context、IMSI＿UE、SGSNアドレスを少なくとも含むものとする。
【００６３】
SGSN（new）は、GTP:SGSN context Responseを受信した場合、受信したＰＤＰコンテキストの構成情報に基づいてＰＤＰコンテキストの引き継ぎを行い、GTP:SGSN context AckをSGSN（old）に返信する（ステップＡ６）。
そして、SGSN（new）は、MAP-Send Authentication InfoをHLRに送信する（ステップＡ７）。
【００６４】
HLRは、MAP-Send Authentication Infoを受信した場合、MAP-Send Authentication Info ackをSGSN（new）に送信する（ステップＡ８）。
【００６５】
次に、SGSN（new）は、GMM:Authentication RequestをUEに送信する（ステップＡ９）。
UEは、GMM:Authentication Requestを受信した場合、GMM:Authentication ResponseをSGSN（new）に返送する（ステップＡ１０）。
【００６６】
次に、SGSN（new）は、Security Mode CommandをUEに送信する（ステップＡ１１）。
UEは、Security Mode Commandを受信した場合、Security Mode CompleteをSGSN（new）に返送する（ステップＡ１２）。
【００６７】
次に、SGSN（new）は、GTP:Update PDP context RequestをGGSNに送信する（ステップＡ１３）。GGSNは、GTP:Update PDP context Requestを受信した場合、GTP:Update PDP context ResponseをSGSN（new）に送信する（ステップＡ１４）。
【００６８】
SGSN（new）は、GTP:Update PDP context Responseを受信した場合、MAP-Update GPRS LocationをHLRに送信する（ステップＡ１５）。SGSN（new）は、IMSI.UEをMAP-Update GPRS Locationに含めて送信する。
【００６９】
HLRは、MAP-Update GPRS Locationを受信した場合、MAP-Cancel LocationをSGSN（old）に送信する（ステップＡ１６）。HLRは、IMSI.UEをMAP-Cancel Locationに含めて送信する。
【００７０】
SGSN（old）は、MAP-Cancel Locationを受信した場合、対象加入者データを装置内の記憶部から消去し、MAP-Cancel Location ackをHLRに送信する（ステップＡ１７）。
【００７１】
HLRは、MAP-Cancel Location ackを受信した場合、MAP-Insert Subscriber DataをSGSN（new）に送信する（ステップＡ１８）。MAP-Insert Subscriber Dataには、IMSI.UEの加入者情報が含まれている。
【００７２】
SGSN（new）は、MAP-Insert Subscriber Dataを受信した場合、IMSI.UEの加入者情報に基づいて加入者プロファイルを作成し、PS-VLRとして格納する。そして、SGSN（new）は、MAP-Insert Subscriber Data ackをHLRに返信する（ステップＡ１９）。
【００７３】
HLRは、MAP-Insert Subscriber Data ackを受信した場合、MAP-Update GPRS Location ackをSGSN（new）に送信する（ステップＡ２０）。
【００７４】
SGSN（new）は、MAP-Update GPRS Location ackを受信した場合、Routing Area Update AcceptをUEに送信する（ステップＡ２１）。
【００７５】
UEは、Routing Area Update Acceptを受信した場合、Routing Area Update CompleteをSGSN（new）に送信する（ステップＡ２２）。
【００７６】
＜IMS-Femto網から既存３Ｇ網へのＰＳハンドオーバ動作例＞
次に、UEが、本実施形態によるIMS-Femto網のＦＡＰ配下から既存３Ｇ網のNode B配下にハンドオーバする場合の動作例について、図５〜図１０のシーケンス図を参照して説明する。
【００７７】
以下の説明では、ハンドオーバにおける移動前にUEが帰属しているＦＡＰをFAP（old）、そのFAP（old）を管理するＰＳサーバをＰＳサーバ（old）とし、移動後にUEが帰属しているNode-Bを管理するSGSNをSGSN（new）とする。また、FAP（old）とPDGとの間でIPsec Tunnel（1）が確立しているものとする（ステップＢ１）。
【００７８】
まず、移動前の初回位置登録として、UEはＣＳ位置登録を開始する。ＣＳ位置登録として、UEはLocation Updating RequestをFAP（old）に送信する（ステップＢ２）。
【００７９】
FAP（old）は、Location Updating Requestを受信した場合に、IDENTITY RequestをUEに送信する（ステップＢ３）。
【００８０】
UEは、IDENTITY Requestを受信した場合に、IDENTITY ResponseをFAP（old）に送信する（ステップＢ４）。UEは、IMSI.UEをIDENTITY Responseに含めて送信する。IMSI.UEは、UEを特定するための情報である。
【００８１】
FAP（old）は、IDENTITY Responseを受信した場合に、IKE-SA-INIT RequestをPDGに送信する（ステップＢ５）。IKE-SA-INITは、Internet Key Exchange-Security Authentication-INITialiseである。
【００８２】
PDGは、IKE-SA-INIT Requestを受信した場合に、IKE-SA-INIT ResponseをFAP（old）に送信する（ステップＢ６）。FAP（old）は、IKE-SA-INIT Responseを受信することで、FAP（old）とPDGとの間でIKE SAを確立する。
【００８３】
次に、FAP（old）は、IKE-AUTH RequestをPDGに送信する（ステップＢ７）。FAP（old）は、APN（Access Point Name）と、NAI（Network Access Identifier）と、をIKE-AUTH Requestに含めて送信する。IKE-AUTHは、Internet Key Exchange-AUTHenticationである。APNは、ネットワークの連結ポイントを特定するための情報である。NAIは、ネットワークのアクセスを特定するための情報である。
【００８４】
PDGは、IKE-AUTH Requestを受信した場合に、Dia-EAP-RequestをAAAに送信する（ステップＢ８）。PDGは、IKE-AUTH Requestに含まれているNAIをDia-EAP-Requestに含めて送信する。Dia-EAPは、Diameter-Extensible Authentication Protocolである。
【００８５】
AAAは、Dia-EAP-Requestを受信した場合に、Dia-EAP-Requestに含まれているNAIを基に、CSサービスの位置登録か、または、ＰＳサービスの位置登録か、または、PDP Activateか、を判断する。この場合、AAAは、NAIからＣＳサービスの位置登録と判断するため、Dia-Wx-MARをHSSに送信する。Dia-Wx-MARは、Diameter-Wx-Multimedia Authentication Requestである。
【００８６】
HSSは、Dia-Wx-MARを受信した場合に、MAP-Send Authentication InformationをHLRに送信する（ステップＢ９）。HSSは、Dia-Wx-MARに含まれているIMSI.UEをMAP-Send Authentication Informationに含めて送信する。
【００８７】
HLRは、MAP-Send Authentication Informationを受信した場合に、MAP-Send Authentication Information AckをHSSに送信する（ステップＢ１０）。HLRは、MAP-Send Authentication Informationに含まれているIMSI.UEに対応するRAND/AUTN/CK/IK/XRESを取得し、その取得したRAND/AUTN/CK/IK/XRESを含めて送信する。
【００８８】
RAND/AUTN/CK/IK/XRESは、3GPPに準拠した情報である。RANDは、Random challengeであり、AUTNは、Authentication Tokenであり、CKは、Cipher Keyであり、IKは、Integrity Keyであり、XRESは、Expected RESponseである。
【００８９】
なお、HLRが送信するMAP-Send Authentication Information Ackに含める情報として、RAND/AUTN/CK/IK/XRESは一例であり、こうした認証のための情報は、UEが契約しているNWの能力などに基づいて各種のものであってよい。
【００９０】
HSSは、MAP-Send Authentication Information Ackを受信した場合に、Dia-Wx-MAAをAAAに送信する。Dia-Wx-MAAは、Diameter-Wx-Multimedia Authentication Answerである。HSSは、HLRから受信したRAND/AUTN/CK/IK/XRESをDia-Wx-MAAに含めて送信する。
【００９１】
AAAは、Dia-Wx-MAAを受信した場合に、Dia-EAP-AnswerをPDGに送信する（ステップＢ１１）。AAAは、Dia-Wx-MAAに含まれているRAND/AUTN/CK/IKをDia-EAP-Answerに含めて送信する。
【００９２】
PDGは、Dia-EAP-Answerを受信した場合に、IKE-AUTH ResponseをFAP（old）に送信する。PDGは、EAP-Request/AKA-Challengeと、Dia-EAP-Answerに含まれているRAND/AUTN/CK/IKと、をIKE-AUTH Responseに含めて送信する。AKAは、Authentication and Key Agreementである。
【００９３】
FAP（old）は、IKE-AUTH Responseを受信した場合に、Authentication RequestをUEに送信する（ステップＢ１２）。FAP（old）は、IKE-AUTH Responseに含まれているRAND/AUTNをAuthentication Requestに含めて送信する。
【００９４】
UEは、Authentication Requestを受信した場合に、そのAuthentication Requestに含まれているRAND/AUTNを基に、認証演算を行う。認証演算は、3GPPに準拠した方法で行う。
UEは、RESを算出し、その算出したRESをAuthentication Responseに含めてFAP（old）に送信する（ステップＢ１３）。RESの算出は、3GPPに準拠した方法で行う。
【００９５】
FAP（old）は、Authentication Responseを受信した場合に、IKE-AUTH RequestをPDGに送信する。FAP（old）は、EAP-Response/AKA-Challengeと、Authentication Responseに含まれているRESと、をIKE-AUTH Requestに含めて送信する。
【００９６】
PDGは、IKE-AUTH Requestを受信した場合に、Dia-EAP-RequestをAAAに送信する（ステップＢ１４）。PDGは、MAC（Message Authentication Code）を算出し、RES、MACをDia-EAP-Requestに含めて送信する。MACの算出は、3GPPに準拠した方法で行う。
【００９７】
AAAは、Dia-EAP-Requestを受信した場合に、UE認証を行う。UE認証は、3GPPに準拠した方法で行う。本動作例では、UE認証が成功した場合について示すこととし、AAAは、Dia-EAP-AnswerをPDGに送信する（ステップＢ１５）。AAAは、EAP-SuccessをDia-EAP-Answerに含めて送信する。
【００９８】
PDGは、Dia-EAP-Answerを受信した場合に、Dia-AA-RequestをAAAに送信する（ステップＢ１６）。PDGは、APNをDia-AA-Requestに含めて送信する。
【００９９】
AAAは、Dia-AA-Requestを受信した場合に、Dia-AA-AnswerをPDGに送信する（ステップＢ１７）。AAAは、IMSI.UEをDia-AA-Answerに含めて送信する。
【０１００】
PDGは、Dia-AA-Answerを受信した場合に、IKE-AUTH ResponseをFAP（old）に送信する（ステップＢ１８）。PDGは、EAP-SuccessをIKE-AUTH Responseに含めて送信する。
【０１０１】
FAP（old）は、IKE-AUTH Responseを受信した場合に、IKE-AUTH RequestをPDGに送信する（ステップＢ１９）。
【０１０２】
PDGは、IKE-AUTH Requestを受信した場合に、IKE-AUTH ResponseをFAP（old）に送信する（ステップＢ２０）。
こうしてFAP（old）がIKE-AUTH Responseを受信し、FAP（old）とPDGとの間でIPsec Tunnel（2)が確立されることとなる（ステップＢ２１）。
【０１０３】
次に、FAP（old）は、INFORMATIONAL RequestをPDGに送信する（ステップＢ２２）。
【０１０４】
PDGは、INFORMATIONAL Requestを受信した場合に、INFORMATIONAL ResponseをFAP（old）に送信する（ステップＢ２３）。
【０１０５】
また、PDGは、Dia-ST-RequestをAAAに送信する（ステップＢ２４）。
【０１０６】
AAAは、Dia-ST-Requestを受信した場合に、Dia-ST-AnswerをPDGに送信する（ステップＢ２５）。
【０１０７】
PDGは、Dia-ST-Answerを受信した場合に、ステップＢ２１で確立したIPsec Tunnel（2）を解放する（ステップＢ２６）。こうしてUE認証後に不要となったIPsec Tunnel（2）を解放することで、リソースの有効活用を図ることができる。
【０１０８】
次に、FAP（old）は、SIP-REGISTERをＩＭＳコアに送信する（ステップＢ２７）。FAP（old）は、IMSI.UEをSIP-REGISTERに含めてＩＭＳコアに送信する。
【０１０９】
ＩＭＳコアは、SIP-REGISTERを受信した場合に、Dia-Cx-UARをHSSに送信する（ステップＢ２８）。
【０１１０】
HSSは、Dia-Cx-UARを受信した場合に、Dia-Cx-UAAをＩＭＳコアに送信する（ステップＢ２９）。
【０１１１】
ＩＭＳコアは、Dia-Cx-UAAを受信した場合に、Dia-Cx-SARをHSSに送信する（ステップＢ３０）。ＩＭＳコアは、IMSI.UEをDia-Cx-SARに含めて送信する。
【０１１２】
HSSは、Dia-Cx-SARを受信した場合に、MAP Update LocationをHLRに送信する（ステップＢ３１）。HSSは、IMSI.UEをMAP Update Locationに含めて送信する。
【０１１３】
HLRは、MAP Update Locationを受信した場合に、MAP-Insert Subscriber DataをHSSに送信する（ステップＢ３２）。MAP-Insert Subscriber Dataには、IMSI.UEのＣＳ加入者情報が含まれている。
【０１１４】
HSSは、MAP-Insert Subscriber Dataを受信した場合に、そのMAP-Insert Subscriber Dataに含まれるIMSI.UEの加入者情報を基に、ＣＳ加入者プロファイルを作成する。HSSは、ＣＳ加入者プロファイルをCS-VLRに登録して管理する。
【０１１５】
次に、HSSは、MAP-Insert Subscriber Data AckをHLRに送信する（ステップＢ３３）。
【０１１６】
HLRは、MAP-Insert Subscriber Data Ackを受信した場合に、MAP-Update Location AckをHSSに送信する（ステップＢ３４）。
【０１１７】
HSSは、MAP-Update Location Ackを受信した場合に、Dia-Cx-SAAをＩＭＳコアに送信する（ステップＢ３５）。HSSは、IMSI.UEとCS-VLRの登録情報に基づいて、MSISDNをDia-Cx-SAAに含めて送信する。
【０１１８】
ＩＭＳコアは、Dia-Cx-SAAを受信した場合に、SIP-200 OKをFAP（old）に送信する（ステップＢ３６）。ＩＭＳコアは、MSISDNをSIP-200 OKに含めて送信する。
【０１１９】
FAP（old）は、SIP-200 OKを受信した場合に、Security Mode CommandをUEに送信する（ステップＢ３７）。
【０１２０】
UEは、Security Mode Commandを受信した場合に、3GPPに準拠した方法で秘匿処理を行い、Security Mode CompleteをFAP（old）に送信する（ステップＢ３８）。
【０１２１】
FAP（old）は、Security Mode Completeを受信した場合に、TMSI（Temporary Mobile Subscriber Identities）の補足を行う。TMSIの補足は、3GPPに準拠した方法で行う。
【０１２２】
FAP（old）は、ＩＭＳコアにSIP-SUBSCRIBEを送信し、確認処理を行う（ステップＢ３９）。ＩＭＳコアは、確認処理ＯＫの場合、SIP-200 OKをFAP（old）に送信する（ステップＢ４０）。
また、ＩＭＳコアはSIP-NOTIFYをFAP（old）に送信し（ステップＢ４１）、FAP（old）は、ＩＭＳコアにSIP-200 OKを返信する（ステップＢ４２）。
【０１２３】
FAP（old）は、Location Updating AcceptをUEに送信する（ステップＢ４３）。UEは、Location Updating Acceptを受信した場合に、TMSI Reallocation CompleteをFAP（old）に送信する（ステップＢ４４）。
【０１２４】
このように、本実施形態の通信システムによるＣＳ位置登録では、FAPとPDGとの間でIPsec Tunnel（1）を確立した状態で（ステップＢ１）、UE、FAP（old）、PDG、AAA、HSS、HLRとの間でメッセージを送受信し、UEの認証処理を行い、UEの認証が成功した場合に、FAP（old）とPDGとの間でIPsec Tunnel（2）を確立する（ステップＢ２〜Ｂ２１）。そして、そのUEの認証処理でFAP（old）とPDGとの間で確立したIPsec Tunnel（2）を解放する（ステップＢ２２〜Ｂ２６）。その後、HSSがHLRから取得したUEのＣＳ加入者プロファイルをHSSのCS-VLRに登録する（ステップＢ２７〜Ｂ３２）。これにより、CSサービスの位置登録の際に、FAP（old）を介してUEの認証処理を行い、HSSのCS-VLRにUEのＣＳ加入者プロファイルを登録することが可能となる。
【０１２５】
次に、ハンドオーバにおける移動前の初回位置登録におけるＰＳ位置登録として、UEはAttach RequestをFAP（old）に送信する（ステップＢ４５）。
【０１２６】
FAP（old）は、Attach Requestを受信した場合に、IDENTITY RequestをUEに送信する（ステップＢ４６）。
【０１２７】
UEは、IDENTITY Requestを受信した場合に、IDENTITY ResponseをFAP（old）に送信する（ステップＢ４７）。UEは、IMSI.UEをIDENTITY Responseに含めて送信する。IMSI.UEは、UEを特定するための情報である。
【０１２８】
FAP（old）は、IDENTITY Responseを受信した場合に、自装置がアクセスするPDGのアドレス要求（Request）を、IMS-Femto網内部のDNSに送信する（ステップＢ４８）。FAP（old）は、ＰＳ位置登録用のAPNをアドレス要求（Request）に含めてIMS-Femto網内部のDNSに送信する。
【０１２９】
IMS-Femto網内部のDNSは、APNと共にアドレス要求（Request）を受信した場合、PDGのアドレス情報をラウンドロビンで順次返信する。すなわち、１つ以上の予め定められた数のPDGのアドレス情報を送信し、それらのアドレス情報のPDGへの割り当て可否をFAP（old）が順次確認する。割り当て可能であればそのPDGにFAP（old）が割り当てられ、割り当て不可であれば、DNSはその予め定められた数のPDGのアドレス情報を再度送信する。こうして割り当て可能なPDGのアドレス情報をFAP（old）に返送（Answer）する（ステップＢ４９）。
【０１３０】
FAP（old）は、PDGのアドレスを受信した場合に、IKE-SA-INIT RequestをPDGに送信する（ステップＢ５０）。そして、FAP（old）とPDGとの間でIKE SAを確立する（ステップＢ５１）。
【０１３１】
FAP（old）は、IKE-AUTH RequestをPDGに送信する（ステップＢ５２）。FAP（old）は、APN（Access Point Name）と、NAI（Network Access Identifier）と、をIKE-AUTH Requestに含めて送信する。
【０１３２】
FAP（old）は、Attach RequestをUEから受信したため、PSサービスの位置登録と判断し、NAIとして、"0PS0<UE＿IMSI>/<Femto＿IMSI>@realmname"を送信する。"0PS0"は、PSサービスの位置登録である旨を意味する情報である。"<UE＿IMSI>"は、UEを特定するための情報であり、ステップＢ４７で受信したIDENTITY Responseに含まれていたIMSI.UEである。"<Femto＿IMSI>"は、FAP（old）を特定するための情報である。
【０１３３】
PDGは、IKE-AUTH Requestを受信した場合に、Dia-EAP-RequestをAAAに送信する（ステップＢ５３）。PDGは、IKE-AUTH Requestに含まれているNAIをDia-EAP-Requestに含めて送信する。
【０１３４】
AAAは、Dia-EAP-Requestを受信した場合に、Dia-EAP-Requestに含まれているNAIを基に、CSサービスの位置登録か、または、PSサービスの位置登録か、または、PDP Activateか、を判断する。本動作例では、AAAはPSサービスの位置登録と判断するため、Dia-Wx-MARをHSSに送信する（ステップＢ５４）。
【０１３５】
AAAは、NAIが"0PS0<UE＿IMSI>/<Femto＿IMSI>@realmname"であるため、PSサービスの位置登録であると判断し、Dia-EAP-Requestに含まれていたNAIのIMSI.UEをDia-Wx-MARに含めて送信する。
【０１３６】
HSSは、Dia-Wx-MARを受信した場合に、MAP-Send Authentication InfoをHLRに送信する（ステップＢ５５）。HSSは、Dia-Wx-MARに含まれていたIMSI.UEをMAP-Send Authentication Infoに含めて送信する。
【０１３７】
ステップＢ５６〜ステップＢ６９までの処理は、ステップＢ１０〜ステップＢ２０と同様な処理をＰＳ位置登録として行うことになる。なお、ステップＢ５９，Ｂ６０がステップＢ１２に対応し、ステップＢ６１，Ｂ６２がステップＢ１３に対応する。
【０１３８】
FAP（old）がIKE-AUTH Responseを受信すると、FAP（old）とPDGとの間でIPsec Tunnel（3）が確立される（ステップＢ７０）。
【０１３９】
次に、FAP（old）は、INFORMATIONAL RequestをPDGに送信する（ステップＢ７１）。
【０１４０】
PDGは、INFORMATIONAL Requestを受信した場合に、INFORMATIONAL ResponseをFAP（old）に送信する（ステップＢ７２）。
【０１４１】
また、PDGは、Dia-ST-RequestをAAAに送信する（ステップＢ７３）。
【０１４２】
AAAは、Dia-ST-Requestを受信した場合に、Dia-ST-AnswerをPDGに送信する（ステップＢ７４）。
【０１４３】
PDGは、Dia-ST-Answerを受信した場合に、ステップＢ７０で確立したIPsec Tunnel（3）を解放する（ステップＢ７５）。こうしてUE認証後に不要となったIPsec Tunnel（3）を解放することで、リソースの有効活用を図ることができる。
【０１４４】
FAP（old）は、次に、Security Mode CommandをUEに送信する（ステップＢ７６）。
【０１４５】
UEは、Security Mode Commandを受信した場合に、Security Mode CompleteをFAP（old）に送信する（ステップＢ７７）。
【０１４６】
FAP（old）は、Security Mode Completeを受信した場合に、Attach AcceptをUEに送信する（ステップＢ７８）。FAP（old）は、Attach AcceptにP-TMSIを含めて送信する。ここでAttach Acceptに含めるP-TMSIは、FAP（old）がUEに対して発行するものであり、3GPPの規格に定められた条件を満たすものであればよい。すなわち、例えばP-TMSIに含まれるNRIの領域部分は、予め定められた固定値など、設計に応じた各種の値としてよい。
【０１４７】
UEは、Attach Acceptを受信した場合に、P-TMSIを自装置内に記憶し、Attach CompleteをFAP（old）に送信する（ステップＢ７９）。
【０１４８】
次に、ハンドオーバにおける移動前のＰＳ発信として、UEはService RequestをFAP（old）に送信する（ステップＢ８０）。
【０１４９】
FAP（old）はService Requestを受信した場合に、Security Mode CommandをUEに送信する（ステップＢ８１）。
【０１５０】
UEはSecurity Mode Commandを受信した場合に、Security Mode CompleteをFAP（old）に送信する（ステップＢ８２）。
【０１５１】
次に、UEは、Activate PDP Context RequestをFAP（old）に送信する（ステップＢ８３）。UEは、IMSI.UEと、帰属先であるFAP（old）のAPN（Access Point Name）と、NSAPI（Network Service Access Point Identity）とをActivate PDP Context Requestに含めて送信する。NSAPIは、3GPPの規格に定められたActivate PDP Context Request信号におけるパラメータの１種である。
【０１５２】
FAP（old）は、Activate PDP Context Requestを受信した場合に、自装置を管理するＰＳサーバ（old）のアドレス要求（Request）を、IMS-Femto網内部のDNSに送信する（ステップＢ８４）。FAP（old）は、UEから受信したAPNをアドレス要求（Request）に含めてIMS-Femto網内部のDNSに送信する。
【０１５３】
IMS-Femto網内部のDNSは、APNと共にアドレス要求（Request）を受信した場合、ＰＳサーバのアドレス情報をラウンドロビンで順次返信する。すなわち、１つ以上の予め定められた数のＰＳサーバのアドレス情報を送信し、それらのアドレス情報のＰＳサーバへの割り当て可否をFAP（old）が順次確認する。割り当て可能であればそのＰＳサーバにFAP（old）が割り当てられ、割り当て不可であれば、DNSはその予め定められた数のＰＳサーバのアドレス情報を再度送信する。こうして割り当て可能なＰＳサーバ（old）のアドレス情報をFAP（old）に返送（Answer）する（ステップＢ８５）。
【０１５４】
FAP（old）は、ＰＳサーバ（old）のアドレスを受信した場合に、IKE-SA-INIT RequestをＰＳサーバ（old）に送信する（ステップＢ８６）。
【０１５５】
ＰＳサーバ（old）は、IKE-SA-INIT Requestを受信した場合に、IKE-SA-INIT ResponseをFAP（old）に送信する（ステップＢ８７）。
【０１５６】
FAP（old）は、IKE-SA-INIT Responseを受信した場合に、IKE-AUTH RequestをＰＳサーバ（old）に送信する（ステップＢ８８）。FAP（old）は、APNと、NAI（Network Access Identifier）と、をIKE-AUTH Requestに含めて送信する。
【０１５７】
FAP（old）は、Activate PDP Context RequestをUEから受信したため、PDP Activateと判断し、"0PDP0<UE＿IMSI>/<Femto＿IMSI>@realmname"のNAIを送信する。"0PDP0"は、PDP Activateである旨を意味する情報である。"<UE＿IMSI>"は、UEを特定するための情報であり、ステップＢ８３で受信したActivate PDP Context Requestに含まれていたIMSI.UEである。"<Femto＿IMSI>"は、FAP（old）を特定するための情報である。
【０１５８】
ＰＳサーバ（old）は、IKE-AUTH Requestを受信した場合に、Dia-EAP-RequestをAAAに送信する（ステップＢ８９）。ＰＳサーバ（old）は、IKE-AUTH Requestに含まれているNAIをDia-EAP-Requestに含めて送信する。また、EAP-Payload（empty）をDia-EAP-Requestに含めて送信する。
【０１５９】
AAAは、Dia-EAP-Requestを受信した場合に、Dia-EAP-Requestに含まれるNAIを基に、CSサービスの位置登録か、または、PSサービスの位置登録か、または、PDP Activateか、を判断する。AAAは、PDP Activateと判断した場合に、Dia-Wx-MARをHSSに送信する（ステップＢ９０）。
【０１６０】
AAAは、NAIが"0PDP0<UE＿IMSI>/<Femto＿IMSI>@realmname"であるため、PDP Activateであると判断し、Dia-EAP-Requestに含まれていたNAIのIMSI.UEをDia-Wx-MARに含めて送信する。
【０１６１】
HSSは、Dia-Wx-MARを受信した場合に、MAP-SAI[PDP]をHLRに送信する（ステップＢ９１）。MAP-SAIはMAP-Send Authentication Infoであり、[PDP]は、PDP Activateを意味する。HSSは、Dia-Wx-MARに含まれていたIMSI.UEをMAP-SAI［PDP]に含めて送信する。
【０１６２】
HLRは、MAP-SAI[PDP]を受信した場合に、MAP-SAI AckをHSSに送信する（ステップＢ９２）。HLRは、MAP-SAI[PDP]に含まれているIMSI.UEに対応するRAND/AUTN/CK/IK/XRESを取得し、その取得したRAND/AUTN/CK/IK/XRESをMAP-SAI Ackに含めて送信する。
【０１６３】
HSSは、MAP-SAI Ackを受信した場合に、Dia-Wx-MAAをAAAに送信する（ステップＢ９３）。HSSは、MAP-SAI Ackに含まれているRAND/AUTN/CK/IK/XRESをDia-Wx-MAAに含めて送信する。
【０１６４】
AAAは、Dia-Wx-MAAを受信した場合に、Dia-EAP-AnswerをＰＳサーバ（old）に送信する（ステップＢ９４）。AAAは、Result-Code（multi-round）、EAP-Request/AKA-ChallengeをDia-EAP-Answerに含めて送信する。
【０１６５】
ＰＳサーバ（old）は、Dia-EAP-Answerを受信した場合に、IKE-AUTH ResponseをFAP（old）に送信する（ステップＢ９５）。ＰＳサーバ（old）は、EAP-Request/AKA-ChallengeをIKE-AUTH Responseに含めて送信する。
【０１６６】
FAP（old）は、IKE-AUTH Responseを受信した場合に、Authentication RequestをUEに送信する（ステップＢ９６）。
【０１６７】
UEは、Authentication Requestを受信した場合に、Authentication ResponseをFAP（old）に送信する（ステップＢ９７）。
【０１６８】
FAP（old）は、Authentication Responseを受信した場合に、IKE-AUTH RequestをＰＳサーバ（old）に送信する（ステップＢ９８）。FAP（old）は、EAP-Response/AKA-Challenge、Private Extensionと、ステップＢ８３でUEから受信したNSAPIとをIKE-AUTH Requestに含めて送信する。
【０１６９】
ＰＳサーバ（old）は、IKE-AUTH Requestを受信した場合に、NSAPI等を自装置内に格納し、Dia-EAP-RequestをAAAに送信する（ステップＢ９９）。ＰＳサーバ（old）は、EAP-Response/AKA-ChallengeをDia-EAP-Requestに含めて送信する。
【０１７０】
AAAは、Dia-EAP-Requestを受信した場合に、Dia-EAP-AnswerをＰＳサーバ（old）に送信する（ステップＢ１００）。AAAは、UEの認証が成功した場合、Result-Code（Success）、EAP-Request/SuccessをDia-EAP-Answerに含めて送信する。
【０１７１】
ＰＳサーバ（old）は、Dia-EAP-Answerを受信した場合に、Dia-AA-RequestをAAAに送信する（ステップＢ１０１）。
【０１７２】
AAAは、Dia-AA-Requestを受信した場合に、Dia-AA-AnswerをＰＳサーバ（old）に送信する（ステップＢ１０２）。AAAは、UEの認証が成功した場合、Result-Code（Success）をDia-AA-Answerに含めて送信する。
【０１７３】
ＰＳサーバ（old）は、Dia-AA-Answerを受信した場合に、MAP-Update GPRS LocationをHLRに送信する（ステップＢ１０３）。
【０１７４】
HLRは、MAP-Update GPRS Locationを受信した場合に、MAP-Insert Subscriber DataをＰＳサーバ（old）に送信する（ステップＢ１０４）。HLRは、IMSI.UEについての、既存３Ｇ網のSGSNに送信する場合と同様のＰＳ加入者情報をMAP-Insert Subscriber Dataに含めて送信する。
【０１７５】
ＰＳサーバ（old）は、MAP-Insert Subscriber Dataを受信した場合に、そのMAP-Insert Subscriber Dataに含まれるIMSI.UEのＰＳ加入者情報を基に、ＰＳ加入者プロファイルを作成し、そのＰＳ加入者プロファイルをPS-VLRに登録して管理する。そして、ＰＳサーバ（old）は、MAP-Insert Subscriber Data ackをHLRに返信する（ステップＢ１０５）。
【０１７６】
HLRは、MAP-Insert Subscriber Data ackを受信した場合に、MAP-Update GPRS Location ackをＰＳサーバ（old）に送信する（ステップＢ１０６）。
【０１７７】
ＰＳサーバ（old）は、MAP-Update GPRS Location ackを受信した場合に、既存３Ｇ網やパケット公衆網のDNSに、GGSNのアドレス要求（Request）を送信する（ステップＢ１０７）。ＰＳサーバ（old）は、GGSNのアドレス要求（Request）にFAP（old）のAPNを含めて送信する。
【０１７８】
既存３Ｇ網やパケット公衆網のDNSは、アドレス要求（Request）に含まれるAPNに応じて、ＰＳサーバ（old）がアクセスすべきGGSNのアドレスを返送（Answer）する（ステップＢ１０８）。
【０１７９】
ＰＳサーバ（old）は、GGSNのアドレスを受信すると、その受信したアドレス宛てに、Create PDP Context Requestを送信する（ステップＢ１０９）。ＰＳサーバ（old）は、Create PDP Context Requestに、UEのMSISDNと、FAP（old）から受信したNSAPIとを含めて送信する。
【０１８０】
GGSNは、Create PDP Context Requestを受信した場合に、Create PDP Context ResponseをＰＳサーバ（old）に送信する（ステップＢ１１０）。
【０１８１】
ＰＳサーバ（old）は、Create PDP Context Responseを受信した場合に、IKE-AUTH ResponseをFAP（old）に送信する（ステップＢ１１１）。ＰＳサーバ（old）は、EAP-Request/SuccessをIKE-AUTH Responseに含めて送信する。
【０１８２】
FAP（old）は、IKE-AUTH Responseを受信した場合に、Security Mode CommandをUEに送信する（ステップＢ１１２）。
【０１８３】
UEは、Security Mode Commandを受信した場合に、Security Mode CompleteをFAP（old）に送信する（ステップＢ１１３）。
【０１８４】
FAP（old）は、Security Mode Completeを受信した場合に、3G無線秘匿を行い、IKE-AUTH RequestをＰＳサーバ（old）に送信する（ステップＢ１１４）。3G無線秘匿は、3GPPに準拠した方法で行う。
【０１８５】
ＰＳサーバ（old）は、IKE-AUTH Requestを受信した場合に、IKE-AUTH ResponseをFAP（old）に送信する（ステップＢ１１５）。ＰＳサーバ（old）は、CF（Remote IPアドレス）をIKE-AUTH Responseに含めて送信する。CF（Remote IPアドレス）は、Activate PDP Contextの受信による新規IPSec確立を行う際に、FAP（old）に通知される接続元のIPアドレスであり、ユーザデータの通信に使用する。
【０１８６】
FAP（old）は、IKE-AUTH Responseを受信した場合に、FAP（old）とＰＳサーバ（old）との間でIPsec Tunnel（4）を確立し（ステップＢ１１６）、Radio Bearer SetupをUEに送信する（ステップＢ１１７）。
【０１８７】
UEは、Radio Bearer Setupを受信した場合、Radio Bearer Setup CompleteをFAP（old）に返信する（ステップＢ１１８）。FAP（old）は、Radio Bearer Setup Completeを受信した場合に、Activate PDP Context AcceptをUEに送信すると共に（ステップＢ１１９）、IMS-Femto網のＤＢ装置に、P-TMSIと、自装置のRAIと、IMSI＿UEと、ＰＳサーバ（old）のアドレス情報とのセットを送信し、ＤＢ装置のデータベースに登録する（ステップＢ１２０）。ここでＤＢ装置に送信しているP-TMSIは、ステップＢ７８でFAP（old）がUEに対して発行したものである。
【０１８８】
IMS-Femto網のＤＢ装置は、P-TMSIと、RAIと、IMSI＿UEと、ＰＳサーバ（old）のアドレス情報とのセットを登録情報として受信した場合、P-TMSIに、RAIと、IMSI＿UEと、ＰＳサーバ（old）のアドレス情報とを関連付けてデータベースとして格納する。
【０１８９】
なお、上述したステップＢ１２０でのＤＢ装置への登録動作は、FAP（old）がＰＳサーバ（old）のアドレス情報をIMS-Femto網のＤＮＳから受信してＰＳサーバ（old）と通信を行った後、ＰＤＰ確立までの間であれば、上述したタイミングに限定されず、予め定められた任意のタイミングで行うこととしてよい。
【０１９０】
また、上述したステップＢ１２０でのＤＢ装置への登録動作は、FAP（old）からＤＢ装置に登録要求を送信する動作に限定されず、FAP（old）がＰＳサーバ（old）に登録情報を送信した後、ＰＳサーバ（old）からＤＢ装置に登録要求を送信する動作であってもよい。
この場合、FAP（old）がＰＳサーバ（old）のアドレス情報をIMS-Femto網のＤＮＳから受信してＰＳサーバ（old）と通信を行った後、FAP（old）が、そのＰＳサーバ（old）のアドレス情報と、P-TMSIと、RAIと、IMSI＿UEとを含む登録情報をＰＳサーバ（old）に送信し、ＰＳサーバ（old）が、その登録情報を受信してからＰＤＰ確立までの間の予め定められた任意のタイミングでＤＢ装置に登録要求を送信することとしてもよい。
【０１９１】
また、FAP（old）が、P-TMSIと、RAIと、IMSI＿UEとをＰＳサーバ（old）に送信し、ＰＳサーバ（old）が、その受信情報に自装置のアドレス情報を含めた登録情報を、ＰＤＰ確立までの間の予め定められた任意のタイミングでＤＢ装置に登録要求を送信することとしてもよい。
【０１９２】
FAP（old）からＰＳサーバ（old）への登録情報または登録情報の一部の送信は、例えば上述したステップＢ８６、Ｂ８８、Ｂ９８、Ｂ１１４の何れかの信号に含めることが好ましい。
【０１９３】
こうしてPDPが確立され、UEからFAP（old）を経由して通信相手先装置との間で通信可能な状態となる。その後、通信の行われない状態が所定時間継続すると、自動的にRRC DisconnectionによりUEとFAP（old）の間での無線区間だけが開放され（ステップＢ１２１）、Preservation状態となる（ステップＢ１２２）。
【０１９４】
こうしてPDPによる通信接続が確立された後で、UEがIMS-Femto網のFAP（old）配下から既存３Ｇ網（Macro網）のNode-B配下に移動した場合、既存３Ｇ網へのＣＳ位置登録動作を開始することとなる。このため、UEは、移動先のNode-Bを介してそのNode-Bを管理するMSCへとLocation Updating Requestを送信する（ステップＢ１２３）。
【０１９５】
MSCは、Location Updating Requestを受信した場合に、IDENTITY RequestをUEに送信する（ステップＢ１２４）。
【０１９６】
UEは、IDENTITY Requestを受信した場合に、IDENTITY ResponseをMSCに送信する（ステップＢ１２５）。UEは、IMSI.UEをIDENTITY Responseに含めて送信する。
【０１９７】
MSCは、IDENTITY Responseを受信した場合にMAP-Send Authentication InformationをHLRに送信する（ステップＢ１２６）。MSCは、IMSI.UEをMAP-Send Authentication Informationに含めて送信する。
【０１９８】
HLRは、MAP-Send Authentication Informationを受信した場合に、MAP-Send Authentication Information AckをMSCに送信する（ステップＢ１２７）。
【０１９９】
MSCは、MAP-Send Authentication Information Ackを受信した場合に、Authentication RequestをUEに送信する（ステップＢ１２８）。
【０２００】
UEは、Authentication Requestを受信した場合に、そのAuthentication Requestに含まれている情報を基に認証演算を行う。認証演算は、3GPPに準拠した方法で行う。UEは、算出した認証情報をAuthentication Responseに含めてMSCに送信する（ステップＢ１２９）。
【０２０１】
MSCは、Authentication Responseを受信した場合に、MAP-Update LocationをHLRに送信する（ステップＢ１３０）。
【０２０２】
HLRは、MAP-Update Locationを受信した場合に、MAP-Cancel LocationをHSSに送信する（ステップＢ１３１）。HLRは、IMSI.UEをMAP-Cancel Locationに含めて送信する。
【０２０３】
HSSは、MAP-Cancel Locationを受信した場合に、CS-VLRから対象ＣＳ加入者プロファイルを消去し、MAP-Cancel Location AckをHLRに送信する（ステップＢ１３２）。
【０２０４】
HLRは、MAP Cancel Location Ackを受信した場合に、MAP-Insert Subscriber DataをMSCに送信する（ステップＢ１３３）。MAP-Insert Subscriber Dataには、IMSI.UEの加入者情報が含まれている。
【０２０５】
MSCは、MAP-Insert Subscriber Dataを受信した場合に、そのMAP-Insert Subscriber Dataに含まれるIMSI.UEの加入者情報を基に、ＣＳ加入者プロファイルを作成し、CS-VLRに登録して管理する。そして、MSCは、MAP-Insert Subscriber Data AckをHLRに送信する（ステップＢ１３４）。
【０２０６】
HRLは、MAP-Insert Subscriber Data Ackを受信した場合に、MAP-Update Location AckをMSCに送信する（ステップＢ１３５）。
【０２０７】
MSCは、MAP-Update Location Ackを受信した場合に、Location Updating AcceptをUEに送信する（ステップＢ１３６）。
【０２０８】
UEは、Location Updating Acceptを受信した場合に、TMSI Reallocation CompleteをMSCに送信する（ステップＢ１３７）。MSCは、このTMSI Reallocation Completeを受信することで、UEのIMSI.UEとnew TMSIとを対応付け、UEの加入者情報（CS）を管理することになる。
【０２０９】
HSSは、上述したステップＢ１３２でMAP-Cancel Location AckをHLRに送信した後、Dia-Cx-RTR（Registration-Termination-Request）をIMSコアに送信する（ステップＢ１３８）。
【０２１０】
IMSコアは、Dia-Cx-RTRを受信した場合、Dia-Cx-RTA（Registration-Termination-Answer）をHSSに送信する（ステップＢ１３９）。また、IMSコアは、UE移動前のFAP（old）にSIP-NOTIFYを送信する（ステップＢ１４０）。IMSコアは、SIP-NOTIFYのBody部のContactタグに、state="terminated",event="deactivated"等を設定し、De-Registerを意味するメッセージにする。
【０２１１】
FAP（old）は、SIP-NOTIFYを受信した場合、UEの加入者情報（CS）を削除し、IMSコアとの接続を解放し、SIP-200 OKをIMSコアに送信する（ステップＢ１４１）。
【０２１２】
次に、ハンドオーバにおける移動後のＰＳ位置登録動作として、UEは、Routing Area Update RequestをSGSN（new）に送信する（ステップＢ１４２）。UEは、移動前の帰属先であるFAP（old）を特定するold RAIと、移動前に受信したold P-TMSIと、NSAPIと、PDP context StatusとをRouting Area Update Requestに含めて送信する。
【０２１３】
SGSN（new）は、Routing Area Update Requestを受信した場合、PDP context Statusが含まれているため、引き継ぎ対象のPDPが存在すると判断し、既存３Ｇ網やパケット公衆網のDNSに移動前のSGSNのアドレス要求を送信する（ステップＢ１４３）。SGSN（new）は、このアドレス要求に、UEから受信したold RAIを含めて送信する。
【０２１４】
既存３Ｇ網やパケット公衆網のDNSは、代表PSサーバのアドレスに、全てのFAPそれぞれのRAIを関連付けて予め格納している。このため、アドレス要求によりFAP（old）のRAIを受信した場合、IMS-Femto網における予め設定された代表PSサーバのアドレスを、SGSN（new）に返送（Answer）する（ステップＢ１４４）。
【０２１５】
SGSN（new）は、DNSからアドレスを受信した場合、そのアドレス宛てにSGSN Context Requestを送信し、ＰＤＰコンテキストの引き継ぎ要求を行う（ステップＢ１４５）。SGSN（new）は、上述したステップＢ１４４で、移動前のSGSNアドレスとして代表PSサーバのアドレスを受信しているため、ステップＢ１４５のSGSN Context Requestは、この代表PSサーバ宛てに送信される。また、SGSN（new）は、SGSN Context Requestに、IMSI.UEと、old RAIと、old P-TMSIとを含めて送信する。
【０２１６】
代表PSサーバは、SGSN Context Requestを受信した場合、IMS-Femto網のＤＢ装置に、移動前のFAP（old）を管理していたPSサーバ（old）のアドレス要求（Request）を送信する（ステップＢ１４６）。代表PSサーバは、このアドレス要求（Request）に、ステップＢ１４５のSGSN Context Requestに含まれていたIMSI.UEと、old RAIと、old P-TMSIとを含めて送信する。
【０２１７】
IMS-Femto網のＤＢ装置は、代表PSサーバからアドレス要求（Request）を受信した場合、そのアドレス要求（Request）に含まれるold P-TMSIおよびold RAIの組み合わせをキーとして、自装置のデータベースを検索する。こうして、そのold P-TMSIおよびold RAIに関連付けて格納されているPSサーバ（old）のアドレス情報を取得し、かつ、さらに関連付けて格納されているIMSI＿UEがアドレス要求（Request）に含まれるIMSI＿UEと一致した場合、そのPSサーバ（old）のアドレス情報およびIMSI＿UEを代表PSサーバに返信（Answer）する（ステップＢ１４７）。
【０２１８】
代表PSサーバは、PSサーバ（old）のアドレス情報およびIMSI＿UEを受信し、そのアドレス情報が自装置のものでない場合、その受信したPSサーバ（old）のアドレス宛てに、ステップＢ１４５で受信したSGSN Context Requestを転送する（ステップＢ１４８）。
【０２１９】
PSサーバ（old）は、SGSN Context Requestを受信した場合、含まれているIMSI.UEと、old RAIと、old P-TMSIとに基づいて、PS-VLRの加入者プロファイルを検索し、IMSI.UEに対応するＰＤＰコンテキストの構成情報を特定する。PSサーバ（old）は、こうして特定されたＰＤＰコンテキストの構成情報、およびステップＢ９８でFAP（old）から受信したNSAPIを、SGSN context Responseに含めてSGSN（new）に送信し、ＰＤＰコンテキストの引き継ぎを行う（ステップＢ１４９）。ＰＤＰコンテキストの構成情報は、3GPPで規定されるMM context、PDP context、IMSI＿UE、SGSNアドレスを少なくとも含むものとする。
【０２２０】
SGSN（new）は、SGSN context Responseを受信した場合、そのSGSN context Responseに含まれるNSAPIと、ステップＢ１４２のRouting Area Update RequestでUEから受信したNSAPIとを比較するNSAPIチェックを行う。SGSN（new）は、この比較によりNSAPIが一致した場合、NSAPIチェックOKと判定し、受信したSGSN context Responseに含まれるＰＤＰコンテキストの構成情報に基づいてＰＤＰコンテキストの引き継ぎを行う。
【０２２１】
次に、SGSN（new）は、MAP-Send Authentication InfoをHLRに送信する（ステップＢ１５０）。HLRは、MAP-Send Authentication Infoを受信した場合、MAP-Send Authentication Info ackをSGSN（new）に送信する（ステップＢ１５１）。
【０２２２】
SGSN（new）は、MAP-Send Authentication Info ackを受信した場合、GMM:Authentication RequestをUEに送信する（ステップＢ１５２）。
UEは、GMM:Authentication Requestを受信した場合、GMM:Authentication ResponseをSGSN（new）に返送する（ステップＢ１５３）。
【０２２３】
次に、SGSN（new）は、PSサーバ（old）に、SGSN Context Acknowledgeを返信する（ステップＢ１５４）。SGSN（new）は、SGSN Context Acknowledgeに、IMSI.UEを含めて送信する。
【０２２４】
また、SGSN（new）は、GTP:Update PDP context RequestをGGSNに送信する（ステップＢ１５５）。GGSNは、GTP:Update PDP context Requestを受信した場合、通信経路情報の更新を行い、GTP:Update PDP context ResponseをSGSN（new）に送信する（ステップＢ１５６）。
【０２２５】
SGSN（new）は、GTP:Update PDP context Responseを受信した場合、MAP-Update GPRS LocationをHLRに送信する（ステップＢ１５７）。SGSN（new）は、IMSI.UEをMAP-Update GPRS Locationに含めて送信する。
【０２２６】
HLRは、MAP-Update GPRS Locationを受信した場合、MAP-Cancel LocationをＰＳサーバ（old）に送信する（ステップＢ１５８）。HLRは、IMSI.UEをMAP-Cancel Locationに含めて送信する。
【０２２７】
ＰＳサーバ（old）は、MAP-Cancel Locationを受信した場合、IMSI.UEで特定されるUEの加入者情報（PS）は削除済みであるため、そのままHLRにMAP-Cancel Location ackを送信する（ステップＢ１５９）。
【０２２８】
また、PSサーバ（old）は、ステップＢ１５４でSGSN Context Acknowledgeを受信しているため、IMSI.UEで特定されるUEの加入者情報（PS）を削除してリソースを解放し、Session Termination RequestをAAAに送信する（ステップＢ１６０）。
【０２２９】
AAAは、Session Termination Requestを受信した場合、Session Termination AnswerをPSサーバ（old）に返信する（ステップＢ１６１）。
【０２３０】
PSサーバ（old）は、Session Termination Answerを受信した場合、Informational  RequestをFAP（old）に送信する（ステップＢ１６２）。PSサーバ（old）は、Informational  Requestに、IMSI.UEを含めて送信する。
【０２３１】
FAP（old）は、Informational  Requestを受信した場合、IMSI.UEで特定されるUEの加入者情報（PS）を削除してリソースを解放し、Informational  ResponseをPSサーバ（old）に返信する（ステップＢ１６３）。こうして、FAP（old）とＰＳサーバ（old）との間でのIPsec Tunnel（4）が解放される（ステップＢ１６４）。
【０２３２】
HLRは、ステップＢ１５９でMAP-Cancel Location ackを受信しているため、MAP-Insert Subscriber DataをSGSN（new）に送信する（ステップＢ１６５）。MAP-Insert Subscriber Dataには、IMSI.UEの加入者情報が含まれている。
【０２３３】
SGSN（new）は、MAP-Insert Subscriber Dataを受信した場合、IMSI.UEの加入者情報に基づいて加入者プロファイル（PS）を作成し、PS-VLRとして格納する。そして、SGSN（new）は、MAP-Insert Subscriber Data ackをHLRに返信する（ステップＢ１６６）。
【０２３４】
HLRは、MAP-Insert Subscriber Data ackを受信した場合、MAP-Update GPRS Location ackをSGSN（new）に送信する（ステップＢ１６７）。
【０２３５】
SGSN（new）は、MAP-Update GPRS Location ackを受信した場合、Routing Area Update AcceptをUEに送信する（ステップＢ１６８）。SGSN（new）は、Routing Area Update AcceptにP-TMSIを含めて送信する。この時、SGSN（new）は、既存３Ｇ網におけるIu-Flex機能として、自装置の特定情報（SGSN番号）であるＮＲＩをP-TMSIに含めるようにP-TMSIを発行し、UEに送信する。
【０２３６】
UEは、Routing Area Update Acceptを受信した場合、P-TMSIを自装置内に記憶し、Routing Area Update CompleteをSGSN（new）に送信する（ステップＢ１６９）。
【０２３７】
こうしてＰＳハンドオーバによる移動後のPDPが確立され、UEから移動先のNode-Bを介して通信相手先装置との間で通信可能な状態となる。その後、通信の行われない状態が所定時間継続すると、自動的にUEとNode-Bの間での無線区間だけが開放され、Preservation状態となる（ステップＢ１７０）。
【０２３８】
＜既存３Ｇ網からIMS-Femto網へのＰＳハンドオーバ動作例＞
次に、UEが、既存３Ｇ網のNode B配下から本実施形態によるIMS-Femto網のＦＡＰ配下にハンドオーバする場合の動作例について、図１１〜図１５のシーケンス図を参照して説明する。
【０２３９】
以下の説明では、ハンドオーバにおける移動前にUEが帰属しているNode-Bを管理するSGSNをSGSN（old）とし、移動後にUEが帰属しているＦＡＰをFAP（new）、そのFAP（new）を管理するＰＳサーバをＰＳサーバ（new）とする。
【０２４０】
まず、ＰＳハンドオーバにおける移動前のＰＤＰ確立動作として、UEと、そのUEが接続するNode-Bを含む既存３Ｇ網との間で、ＣＳ位置登録（ステップＣ１〜Ｃ１３）、ＰＳ位置登録（ステップＣ１４〜Ｃ２４）、ＰＳ発信（ステップＣ２５〜Ｃ３７）の一連の動作が行われる。これらの動作は、３ＧＰＰにより標準化されている既存３Ｇ網としての動作であり、説明を省略する。
【０２４１】
こうしてPDPが確立され、UEからNode-Bを経由して通信相手先装置との間で通信可能な状態となる。その後、通信の行われない状態が所定時間継続すると、自動的にRRC DisconnectionによりUEとNode-Bの間での無線区間だけが開放され（ステップＣ３８）、Preservation状態となる（ステップＣ３９）。
【０２４２】
こうしてPDPによる通信接続が確立された後で、UEが既存３Ｇ網（Macro網）のNode-B配下からIMS-Femto網のFAP（new）配下に移動した場合、IMS-Femto網へのＣＳ位置登録動作を開始することとなる。
【０２４３】
ステップＣ４０〜Ｃ８６のＣＳ位置登録動作は、上述したステップＢ１〜Ｂ４４のＣＳ位置登録動作に対して、FAP（old）に替えてFAP（new）とした同様の動作であるため、説明を省略する。なお、このステップＣ４０〜Ｃ８６のＣＳ位置登録動作でも、FAP（new）とPDGとの間では、IPsec Tunnel（1）が確立している状態から動作が開始されているものとする。
【０２４４】
次に、ハンドオーバによる移動後のＰＳ位置登録として、UEは、Routing Area Update RequestをFAP（new）に送信する（ステップＣ８７）。UEは、移動前の帰属先であるNode-Bを特定するold RAIと、移動前に受信したold P-TMSIと、移動前に受信したold P-TMSI Signatureと、NSAPIと、PDP context StatusとをRouting Area Update Requestに含めて送信する。
【０２４５】
FAP（new）は、Routing Area Update Requestを受信した場合、PDP context Statusが含まれているため、引き継ぎ対象のPDPが存在すると判断し、自装置を管理するＰＳサーバ（new）のアドレス要求（Request）を、IMS-Femto網内部のDNSに送信する。FAP（new）は、自装置に予め設定されているdefault APNをアドレス要求（Request）に含めてIMS-Femto網内部のDNSに送信する（ステップＣ８８）。
【０２４６】
IMS-Femto網内部のDNSは、APNと共にアドレス要求（Request）を受信した場合、ＰＳサーバのアドレス情報をラウンドロビンで順次返信する。すなわち、１つ以上の予め定められた数のＰＳサーバのアドレス情報を送信し、それらのアドレス情報のＰＳサーバへの割り当て可否をFAP（old）が順次確認する。割り当て可能であればそのＰＳサーバにFAP（old）が割り当てられ、割り当て不可であれば、DNSはその予め定められた数のＰＳサーバのアドレス情報を再度送信する。こうして割り当て可能なＰＳサーバ（new）のアドレス情報をFAP（new）に返送（Answer）する（ステップＣ８９）。
【０２４７】
FAP（new）は、ＰＳサーバ（new）のアドレスを受信した場合に、IKE-SA-INIT RequestをＰＳサーバ（new）に送信する（ステップＣ９０）。
【０２４８】
ＰＳサーバ（new）は、IKE-SA-INIT Requestを受信した場合に、IKE-SA-INIT ResponseをFAP（new）に送信する（ステップＣ９１）。
【０２４９】
FAP（new）は、IKE-SA-INIT Responseを受信した場合に、IKE-AUTH RequestをＰＳサーバ（new）に送信する（ステップＣ９２）。FAP（new）は、APNと、NAI（Network Access Identifier）と、をIKE-AUTH Requestに含めて送信する。
【０２５０】
ＰＳサーバ（new）は、IKE-AUTH Requestを受信した場合に、Dia-EAP-RequestをAAAに送信する（ステップＣ９３）。ＰＳサーバ（new）は、IKE-AUTH Requestに含まれているNAIをDia-EAP-Requestに含めて送信する。
【０２５１】
AAAは、Dia-EAP-Requestを受信した場合に、Dia-EAP-Requestに含まれるNAIに基づいて、Dia-Wx-MARをHSSに送信する（ステップＣ９４）。AAAは、Dia-EAP-Requestに含まれていたNAIにおけるIMSI.UEをDia-Wx-MARに含めて送信する。
【０２５２】
HSSは、Dia-Wx-MARを受信した場合に、MAP-SAIをHLRに送信する（ステップＣ９５）。MAP-SAIはMAP-Send Authentication Infoである。HSSは、Dia-Wx-MARに含まれていたIMSI.UEをMAP-SAIに含めて送信する。
【０２５３】
HLRは、MAP-SAIを受信した場合に、MAP-SAI AckをHSSに送信する（ステップＣ９６）。HLRは、MAP-SAIに含まれているIMSI.UEに対応する認証のための情報を取得し、その取得した認証のための情報をMAP-SAI Ackに含めて送信する。
【０２５４】
HSSは、MAP-SAI Ackを受信した場合に、Dia-Wx-MAAをAAAに送信する（ステップＣ９７）。HSSは、MAP-SAI Ackに含まれているIMSI.UEの認証のための情報をDia-Wx-MAAに含めて送信する。
【０２５５】
AAAは、Dia-Wx-MAAを受信した場合に、Dia-EAP-AnswerをＰＳサーバ（new）に送信する（ステップＣ９８）。AAAは、Result-Code（multi-round）、EAP-Request/AKA-ChallengeをDia-EAP-Answerに含めて送信する。
【０２５６】
ＰＳサーバ（new）は、Dia-EAP-Answerを受信した場合に、IKE-AUTH ResponseをFAP（new）に送信する（ステップＣ９９）。ＰＳサーバ（new）は、EAP-Request/AKA-ChallengeをIKE-AUTH Responseに含めて送信する。
【０２５７】
FAP（new）は、IKE-AUTH Responseを受信した場合に、Authentication RequestをUEに送信する（ステップＣ１００）。
【０２５８】
UEは、Authentication Requestを受信した場合に、Authentication ResponseをFAP（new）に送信する（ステップＣ１０１）。
【０２５９】
FAP（new）は、Authentication Responseを受信した場合に、IKE-AUTH RequestをＰＳサーバ（new）に送信する（ステップＣ１０２）。FAP（new）は、ステップＣ８４でRouting Area Update RequestにPDP context Statusが含まれており、引き継ぎ対象のPDPが存在すると判断しているため、そのステップＣ８７のRouting Area Update Requestにより受信したold RAIと、old P-TMSIと、old P-TMSI Signatureと、NSAPIとに加え、new RAIと、new P-TMSIとを、IKE-AUTH Requestに含めて送信する。ここで、new RAIは、自装置（FAP（new））を特定する特定情報である。また、new P-TMSIは、3GPPの規格に定められた条件を満たすように自装置で発行した値である。new P-TMSIに含まれるNRIの領域部分は、予め定められた固定値など、設計に応じた各種の値としてよい。
【０２６０】
ＰＳサーバ（new）は、IKE-AUTH Requestを受信した場合に、Dia-EAP-RequestをAAAに送信する（ステップＣ１０３）。ＰＳサーバ（new）は、EAP-Response/AKA-ChallengeをDia-EAP-Requestに含めて送信する。
【０２６１】
AAAは、Dia-EAP-Requestを受信した場合に、Dia-EAP-AnswerをＰＳサーバ（new）に送信する（ステップＣ１０４）。AAAは、UEの認証が成功した場合、Result-Code（Success）、EAP-Request/SuccessをDia-EAP-Answerに含めて送信する。
【０２６２】
ＰＳサーバ（new）は、Dia-EAP-Answerを受信した場合に、Dia-AA-RequestをAAAに送信する（ステップＣ１０５）。
【０２６３】
AAAは、Dia-AA-Requestを受信した場合に、Dia-AA-AnswerをＰＳサーバ（new）に送信する（ステップＣ１０６）。AAAは、UEの認証が成功した場合、Result-Code（Success）をDia-AA-Answerに含めて送信する。
【０２６４】
ここで、ＰＳサーバ（new）は、ステップＣ１０２でFAP（new）から受信したIKE-AUTH Requestにより、引き継ぎ対象のPDPが存在すると判断している。このため、既存３Ｇ網やパケット公衆網のDNSに移動前のSGSNのアドレス要求（Request）を送信する（ステップＣ１０７）。ＰＳサーバ（new）は、このアドレス要求に、上述したIKE-AUTH RequestでFAP（new）から受信したold RAIを含めて送信する。
【０２６５】
ここで、既存３Ｇ網やパケット公衆網のDNSは、このアドレス要求に含まれるold RAIからでは、要求された移動前のSGSNアドレスを取得することができない。すなわち、既存３Ｇ網のIu-Flex機能では、old RAIにより特定されるNode-Bを管理するSGSN（old）のアドレスを取得することができない。
このため、既存３Ｇ網やパケット公衆網のDNSは、ＰＳサーバ（new）からアドレス要求を受信した場合、3GPPに準拠した方法として、既存３Ｇ網における代表SGSNのアドレスをＰＳサーバ（new）に返送（Answer）する（ステップＣ１０８）。
【０２６６】
ＰＳサーバ（new）は、DNSからアドレスを受信した場合、そのアドレス宛てにSGSN Context Requestを送信し、ＰＤＰコンテキストの引き継ぎ要求を行う（ステップＣ１０９）。ＰＳサーバ（new）は、上述したステップＣ１０８で、移動前のSGSNアドレスとして代表SGSNのアドレスを受信しているため、ステップＣ１０９のSGSN Context Requestは、この代表SGSN宛てに送信される。また、ＰＳサーバ（new）は、SGSN Context Requestに、IMSI.UEと、old RAIと、old P-TMSIと、old P-TMSI Signatureとを含めて送信する。
【０２６７】
代表SGSNは、SGSN Context Requestを受信した場合、３ＧＰＰ技術仕様におけるIu-Flex機能により、SGSN Context Requestに含まれているold P-TMSIからNRIを取得し、そのNRIにより特定されるＳＧＳＮを移動元のＳＧＳＮ（old）として判定する。
代表SGSNは、こうした3GPPに準拠した方法により特定されたSGSN（old）のアドレス宛てに、ＰＳサーバ（new）から受信したSGSN Context Requestを転送する（ステップＣ１１０）。
【０２６８】
SGSN（old）は、SGSN Context Requestを受信した場合、含まれているIMSI.UEと、old P-TMSI Signatureに含まれる認証情報とを用いて、3GPPの規格に定められた簡易認証を行う。
ここで、IMS-Femto網で用いる認証情報が既存３Ｇ網で用いるものと同一でない場合、この簡易認証はＮＧとなる。すなわち、認証情報など簡易認証に用いられる全ての情報が同じになるようにIMS-Femto網を構成しない限り、この簡易認証はＮＧとなる。
【０２６９】
簡易認証がＮＧである場合、SGSN（old）は、SGSN context ResponseにCause#206 P-TMSI Signature Mismatchを含めてPSサーバ（new）に送信する（ステップＣ１１１）。
【０２７０】
PSサーバ（new）は、Cause#206 P-TMSI Signature Mismatchを含むSGSN context Responseを受信した場合、SGSN Context Requestに、IMSI.UEと、old RAIと、old P-TMSIとに加え、MS Validated=Yesを含めてSGSN（old）に送信し、正規認証を行わずにＰＤＰコンテキストの引き継ぎを行うよう要求する（ステップＣ１１２）。
【０２７１】
SGSN（old）は、MS Validated=Yesを含むSGSN Context Requestを受信した場合、そのSGSN Context Requestに含まれているIMSI.UEと、old RAIと、old P-TMSIとに基づいて、PS-VLRの加入者プロファイルを検索し、IMSI.UEに対応するＰＤＰコンテキストの構成情報を特定する。SGSN（old）は、こうして特定されたＰＤＰコンテキストの構成情報と、Cause#128 Request Acceptedと、FAP（old）から受信したNSAPIとをSGSN context Responseに含めてPSサーバ（new）に送信し、ＰＤＰコンテキストの引き継ぎを行う（ステップＣ１１３）。ＰＤＰコンテキストの構成情報は、3GPPで規定されるMM context、PDP context、IMSI＿UE、SGSNアドレスを少なくとも含むものとする。
【０２７２】
ＰＳサーバ（new）は、Cause#128 Request Acceptedを含むSGSN context Responseを受信した場合、そのSGSN context Responseに含まれるNSAPIと、ステップＣ１０２のIKE-AUTH RequestでFAP（new）から受信したNSAPIとを比較するNSAPIチェックを行う。SGSN（new）は、この比較によりNSAPIが一致した場合、NSAPIチェックOKと判定し、受信したSGSN context Responseに含まれるＰＤＰコンテキストの構成情報に基づいて、既存３Ｇ網のＳＧＳＮと同様のＰＤＰコンテキストの引き継ぎを行う。
【０２７３】
次に、ＰＳサーバ（new）は、SGSN（old）に、SGSN Context Acknowledgeを返信する（ステップＣ１１４）。ＰＳサーバ（new）は、SGSN Context Acknowledgeに、IMSI.UEを含めて送信する。
【０２７４】
また、ＰＳサーバ（new）は、GTP:Update PDP context RequestをGGSNに送信する（ステップＣ１１５）。GGSNは、GTP:Update PDP context Requestを受信した場合、通信経路情報の更新を行い、GTP:Update PDP context ResponseをＰＳサーバ（new）に送信する（ステップＣ１１６）。
【０２７５】
ＰＳサーバ（new）は、GTP:Update PDP context Responseを受信した場合、MAP-Update GPRS LocationをHLRに送信する（ステップＣ１１７）。ＰＳサーバ（new）は、IMSI.UEをMAP-Update GPRS Locationに含めて送信する。
【０２７６】
HLRは、MAP-Update GPRS Locationを受信した場合、MAP-Cancel LocationをSGSN（old）に送信する（ステップＣ１１８）。HLRは、IMSI.UEをMAP-Cancel Locationに含めて送信する。
【０２７７】
SGSN（old）は、MAP-Cancel Locationを受信した場合、IMSI.UEで特定されるUEの加入者情報（PS）を削除し、HLRにMAP-Cancel Location ackを送信する（ステップＣ１１９）。
【０２７８】
HLRは、MAP-Cancel Location ackを受信した場合、MAP-Insert Subscriber DataをＰＳサーバ（new）に送信する（ステップＣ１２０）。MAP-Insert Subscriber Dataには、IMSI.UEの加入者情報が含まれている。
【０２７９】
ＰＳサーバ（new）は、MAP-Insert Subscriber Dataを受信した場合、IMSI.UEの加入者情報に基づいて加入者プロファイル（PS）を作成し、PS-VLRとして格納する。そして、ＰＳサーバ（new）は、MAP-Insert Subscriber Data ackをHLRに返信する（ステップＣ１２１）。
【０２８０】
HLRは、MAP-Insert Subscriber Data ackを受信した場合、MAP-Update GPRS Location ackをＰＳサーバ（new）に送信する（ステップＣ１２２）。
【０２８１】
ＰＳサーバ（new）は、MAP-Update GPRS Location ackを受信した場合に、IKE-AUTH ResponseをFAP（new）に送信する（ステップＣ１２３）。ＰＳサーバ（new）は、EAP-Request/SuccessをIKE-AUTH Responseに含めて送信する。
【０２８２】
FAP（new）は、IKE-AUTH Responseを受信した場合に、Security Mode CommandをUEに送信する（ステップＣ１２４）。
【０２８３】
UEは、Security Mode Commandを受信した場合に、Security Mode CompleteをFAP（new）に送信する（ステップＣ１２５）。
【０２８４】
FAP（new）は、Security Mode Completeを受信した場合に、3G無線秘匿を行い、IKE-AUTH RequestをＰＳサーバ（new）に送信する（ステップＣ１２６）。3G無線秘匿は、3GPPに準拠した方法で行う。
【０２８５】
ＰＳサーバ（new）は、IKE-AUTH Requestを受信した場合に、IKE-AUTH ResponseをFAP（new）に送信する（ステップＣ１２７）。
【０２８６】
FAP（new）は、IKE-AUTH Responseを受信した場合に、FAP（new）とＰＳサーバ（new）との間でIPsec Tunnel（4）を確立し（ステップＣ１２８）、Routing Area Update AcceptをUEに送信する（ステップＣ１２９）。FAP（new）は、Routing Area Update AcceptにP-TMSIを含めて送信する。ここでRouting Area Update Acceptに含めるP-TMSIは、FAP（new）がUEに対して発行するものであり、3GPPの規格に定められた条件を満たすものであればよい。すなわち、例えばP-TMSIに含まれるNRIの領域部分は、予め定められた固定値など、設計に応じた各種の値としてよい。
【０２８７】
UEは、Routing Area Update Acceptを受信した場合、P-TMSIを自装置内に記憶し、Routing Area Update CompleteをFAP（new）に送信する（ステップＣ１３０）。
【０２８８】
FAP（new）は、Routing Area Update Completeを受信した場合に、IMS-Femto網のＤＢ装置に、P-TMSIと、自装置のRAIと、IMSI＿UEと、ＰＳサーバ（new）のアドレス情報とのセットを送信し、ＤＢ装置のデータベースに登録する（ステップＣ１３１）。ここでＤＢ装置に送信しているP-TMSIは、ステップＣ１２９でFAP（new）がUEに対して発行したものである。
【０２８９】
IMS-Femto網のＤＢ装置は、P-TMSIと、RAIと、IMSI＿UEと、ＰＳサーバ（new）のアドレス情報とのセットを登録情報として受信した場合、P-TMSIに、RAIと、IMSI＿UEと、ＰＳサーバ（new）のアドレス情報とを関連付けてデータベースとして格納する。
【０２９０】
なお、上述したステップＣ１３１でのＤＢ装置への登録動作は、FAP（new）がＰＳサーバ（new）のアドレス情報をIMS-Femto網のＤＮＳから受信してＰＳサーバ（new）と通信を行った後、ＰＤＰ確立までの間であれば、上述したタイミングに限定されず、予め定められた任意のタイミングで行うこととしてよい。
この場合、上述した動作例では、FAP（new）がステップＣ１２９でRouting Area Update AcceptをUEに送信する際にP-TMSIを発行することとして説明したが、ＤＢ装置への登録動作が上記ステップＣ１２９よりも前である場合、そのＤＢ装置への登録動作の前にFAP（new）がP-TMSIを同様に発行し、上記ステップＣ１２９でRouting Area Update AcceptをUEに送信する際にそのP-TMSIを含めて送信することとしてよい。
【０２９１】
また、上述したステップＣ１３１でのＤＢ装置への登録動作は、FAP（new）からＤＢ装置に登録要求を送信する動作に限定されず、FAP（new）がＰＳサーバ（new）に登録情報を送信した後、ＰＳサーバ（new）からＤＢ装置に登録要求を送信する動作であってもよい。
この場合、FAP（new）がＰＳサーバ（new）のアドレス情報をIMS-Femto網のＤＮＳから受信してＰＳサーバ（new）と通信を行った後、FAP（new）が、そのＰＳサーバ（new）のアドレス情報と、P-TMSIと、RAIと、IMSI＿UEとを含む登録情報をＰＳサーバ（new）に送信し、ＰＳサーバ（new）が、その登録情報を受信してからＰＤＰ確立までの間の予め定められた任意のタイミングでＤＢ装置に登録要求を送信することとしてもよい。
また、FAP（new）が登録情報をＰＳサーバ（new）に送信するタイミングが上述したステップＣ１２９よりも前である場合、そのＰＳサーバ（new）への登録情報送信前にFAP（new）がP-TMSIを同様に発行し、上記ステップＣ１２９でRouting Area Update AcceptをUEに送信する際にそのP-TMSIを含めて送信することとしてよい。
【０２９２】
また、FAP（new）が、P-TMSIと、RAIと、IMSI＿UEとをＰＳサーバ（new）に送信し、ＰＳサーバ（new）が、その受信情報に自装置のアドレス情報を含めた登録情報を、ＰＤＰ確立までの間の予め定められた任意のタイミングでＤＢ装置に登録要求を送信することとしてもよい。
この場合、FAP（new）がP-TMSIと、RAIと、IMSI＿UEとをＰＳサーバ（new）に送信するタイミングが上述したステップＣ１２９よりも前である場合、そのＰＳサーバ（new）への送信タイミングの前にFAP（new）がP-TMSIを同様に発行し、上記ステップＣ１２９でRouting Area Update AcceptをUEに送信する際にそのP-TMSIを含めて送信することとしてよい。
【０２９３】
FAP（new）からＰＳサーバ（new）への登録情報または登録情報の一部の送信は、例えば上述したステップＣ９０、Ｃ９２、Ｃ１０２、Ｃ１２６の何れかの信号に含めることが好ましい。
【０２９４】
こうしてＰＳハンドオーバによる移動後のPDPが確立され、UEから移動先のFAP（new）を介して通信相手先装置との間で通信可能な状態となる。その後、通信の行われない状態が所定時間継続すると、自動的にUEとFAP（new）の間での無線区間だけが開放され、Preservation状態となる（ステップＣ１３２）。
【０２９５】
＜実施形態による効果＞
以上のように、上述した本発明の実施形態によるIMS-Femto網では、ＰＳハンドオーバの際にもＰＤＰコンテキストの引き継ぎを実現できる。このため、本実施形態によるIMS-Femto網では、既存３Ｇ網など既存の移動通信網との間でＰＳハンドオーバが行われる場合であっても、既存３Ｇ網内でのＰＳハンドオーバと同様のＰＳハンドオーバを行うことができる。
【０２９６】
より詳述すると、まず、本実施形態のIMS-Femto網から既存３Ｇ網へのＰＳハンドオーバの場合、UEの移動前に、FAP（old）またはPSサーバ（old）が、IMS-Femto網のＤＢ装置にP-TMSIと、自装置のRAIと、IMSI＿UEと、ＰＳサーバ（old）のアドレス情報とのセットを送信し、ＤＢ装置のデータベースに登録する。
そして、UEの移動後にステップＢ１４５でSGSN Context Requestを受信した代表ＰＳサーバは、そのSGSN Context Requestに含まれるP-TMSIを少なくとも含めて、ＤＢ装置に移動前のPSサーバ（old）のアドレス要求を行う。ＤＢ装置は、少なくともP-TMSIをキーとして用いてデータベースを検索し、検索ヒットしたPSサーバ（old）のアドレス情報を代表PSサーバに送信する。
このことにより、代表PSサーバは、移動前のＰＳサーバ（old）のアドレス情報を取得し、受信したSGSN Context Requestをその特定されたＰＳサーバ（old）のアドレス宛てに転送することができる。このため、ＰＳハンドオーバにおけるＰＤＰコンテキストの引き継ぎを、既存３Ｇ網内でのＰＳハンドオーバと同様に実現することができる。
【０２９７】
また、既存３Ｇ網から本実施形態のIMS-Femto網へのＰＳハンドオーバの場合、移動後のＰＳサーバ（new）は、３ＧＰＰ技術仕様におけるIu-Flex機能により移動前のＳＧＳＮ（old）を特定する特定情報（NRI）が含められたold P-TMSIを、上述したステップＣ１０９でSGSN Context Requestに含めて、移動元ＳＧＳＮが含まれる既存３Ｇ網の代表ＳＧＳＮに送信する。
このことにより、既存３Ｇ網内でのＰＳハンドオーバの場合と同様に、既存３Ｇ網における代表ＳＧＳＮから移動元ＳＧＳＮへとSGSN Context Requestを転送させることができる。このため、ＰＳハンドオーバにおけるＰＤＰコンテキストの引き継ぎを、既存３Ｇ網内でのＰＳハンドオーバと同様に実現することができる。
【０２９８】
本実施形態によれば、以上のようにＰＤＰコンテキストの引き継ぎを実現するため、ＰＳハンドオーバでの移動先でＰＤＰコンテキストを再確立する必要なく、既存３Ｇ網内でのＰＳハンドオーバと同様のＰＳハンドオーバを実現できる。
このため、パケット通信の途中や、パケット通信状態のまま無通信状態が所定時間続いたPreservation状態でＰＳハンドオーバが行われた場合であっても、既存３Ｇ網内でのＰＳハンドオーバの場合と同様に、パケット通信を継続させることができる。
【０２９９】
また、本実施形態では、ＰＳサーバが仮想的にＳＧＳＮ機能部を構成することにより、IMS-Femto網以外のネットワークに属する装置（既存３Ｇ網のSGSNなど）との間で、既存３Ｇ網のＳＧＳＮによる信号送受信と同様の信号送受信を実現している。このように、本実施形態では、既存３Ｇ網などIMS-Femto網以外のネットワークからＰＳサーバをＳＧＳＮとして認識させ、3GPP TS23.236等の標準化規格に定められた信号送受信の流れに沿って、ＰＳハンドオーバにおけるＰＤＰコンテキストの引き継ぎを実現できる。
このため、既存３Ｇ網など既存の移動通信網における各装置の改良を必要とせず、上述した各効果を得ることができる。
【０３００】
また、上述した説明では、既存３Ｇ網とIMS-Femto網との間でのＰＳハンドオーバについて説明したが、IMS-Femto網のＰＳサーバによるＳＧＳＮ機能部は上述のように他のネットワークに属する装置からＳＧＳＮとして認識されるよう動作する。このため、ＬＴＥ網など各種の移動通信網からもIMS-Femto網のＰＳサーバは、既存３Ｇ網におけるＳＧＳＮと同様に判別されることとなり、ＬＴＥ網など各種の移動通信網とIMS-Femto網との間のＰＳハンドオーバの場合についても、上述した実施形態と同様の手順により、3GPP等の規格に定められた動作に沿ってＰＳハンドオーバを行い、ＰＤＰコンテキストの引き継ぎを実現することができる。
【０３０１】
なお、上述した各実施形態は本発明の好適な実施形態であり、本発明はこれに限定されることなく、本発明の技術的思想に基づいて種々変形して実施することが可能である。
【０３０２】
例えば、本明細書で提示した非特許文献１は、一例であり、本実施形態における通信システムは、非特許文献１に記載されている3GPPのVersionには依存せずに行うことも可能である。
【０３０３】
また、上述した実施形態では、Preservation状態で位置移動が行われることとして説明したが、位置移動の時点でPreservation状態であってもなくても、結局、ハンドオーバの一連の動作に伴ってUEとFAPまたはNode-Bとの間の無線区間は解放されることとなる。すなわち、ＰＳ通信が確立された後の位置移動によるＰＳハンドオーバであれば、位置移動の時点でPreservation状態であるか否かにかかわらず、同様の動作により上述した実施形態による各機能が実現されることとなる。
【０３０４】
また、上述した実施形態では、ＳＧＳＮ機能部がＰＳサーバにより実現される構成例について説明したが、機能として実現可能であればその機能を実装する装置はこのＰＳサーバに限定されず、例えばＰＤＧなど他の装置が上述した実施形態におけるＳＧＳＮ機能部を備えるサービス制御装置として機能する構成であっても本発明は同様に実現することができる。
【０３０５】
また、上述した実施形態では、ＤＢ装置９を単体の装置として実現した構成例について説明したが、機能として実現可能であればその機能を実装する装置はこのＤＢ装置９に限定されず、例えばIMS-Femto網のＤＮＳ７など他の装置の何れかがＤＢ装置９におけるデータベース機能を備える構成であっても本発明は同様に実現することができる。
【０３０６】
このように、上述した実施形態における各装置が実現する各機能は、それら機能を実現可能であればその機能を実装する装置は上述した実施形態のものに限定されず、他の装置がそれら機能を備える構成であっても本発明は同様に実現することができる。
すなわち、本明細書における各種装置やシステムは、各種機能を実現する機能部（特定の機能を実現する機能モジュールや装置など）論理的に集合したもののことであり、各機能部が何れの装置内に設けられているか、また、単一の筐体内にあるか否かは特に問われるものではない。
【０３０７】
また、上述した本実施形態における通信システムを構成する各装置における制御動作は、ハードウェア、または、ソフトウェア、あるいは、両者の複合構成を用いて実行することも可能である。
【０３０８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０３０９】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０３１０】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０３１１】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【０３１２】
また、本実施形態における通信システムは、複数の装置の論理的集合構成にしたり、各構成の装置が同一筐体内に存在する構成にしたりするように構築することも可能である。
【符号の説明】
【０３１３】
１    ＵＥ
２    ＦＡＰ
３    ＰＤＧ
４    ＰＳサーバ（サービス制御装置の一例）
５    ＡＡＡ
６    ＨＳＳ
７    ＤＮＳ
８    ＩＭＳコア
９    ＤＢ装置
９３    ＳＧＳＮ
９４    ＧＧＳＮ
９５    ＨＬＲ
９６    ＤＮＳ
９７    ＭＳＣ
【図１】
0005743821.tif 000002
【図２】
0005743821.tif 000003
【図３】
0005743821.tif 000004
【図４】
0005743821.tif 000005
【図５】
0005743821.tif 000006
【図６】
0005743821.tif 000007
【図７】
0005743821.tif 000008
【図８】
0005743821.tif 000009
【図９】
0005743821.tif 000010
【図１０】
0005743821.tif 000011
【図１１】
0005743821.tif 000012
【図１２】
0005743821.tif 000013
【図１３】
0005743821.tif 000014
【図１４】
0005743821.tif 000015
【図１５】
0005743821.tif 000016